(57)【要約】  本技術は、消費電力の増大を抑制することができるようにする情報処理装置および方法、並びに、プログラムに関する。本技術は、無線信号を受信する受信部が駆動する際に電力を供給するように、制御部が受信部への電力の供給を制御する。例えば、この制御部が、アンテナにおいて受信された放送波信号を伝送する同軸ケーブルを介してその放送波信号と重畳して供給され、抽出された電力の、受信部への供給を制御するようにする。本技術は、例えば、情報処理装置、電力供給制御装置、信号送信装置、信号受信装置、信号送受信装置、通信装置、電子機器、コンピュータ、プログラム、記憶媒体、システム等に適用することができる。
2017018185.tif 000002
【特許請求の範囲】
【請求項１】
無線信号を受信する受信部が駆動する際に電力を供給するように、前記受信部への前記電力の供給を制御する制御部
を備える情報処理装置。
【請求項２】
前記制御部は、アンテナにおいて受信された放送波信号を伝送する同軸ケーブルを介して前記放送波信号と重畳して供給され、抽出された電力の、前記受信部への供給を制御する
請求項１に記載の情報処理装置。
【請求項３】
前記制御部は、
前記受信部への前記電力の供給を開始して、前記受信部に前記無線信号を受信させ、受信した前記無線信号より得られた情報を記憶部に記憶させ、
前記情報が前記記憶部に記憶されたとの通知を取得した場合、前記受信部への前記電力の供給を終了する
請求項１または請求項２に記載の情報処理装置。
【請求項４】
前記受信部をさらに備える
請求項１乃至請求項３のいずれかに記載の情報処理装置。
【請求項５】
前記制御部は、前記同軸ケーブルを介して前記信号と重畳して供給され、抽出され、蓄電部に蓄電された前記電力の、前記受信部への供給を制御する
請求項１乃至請求項４のいずれかに記載の情報処理装置。
【請求項６】
前記制御部は、前記蓄電部の蓄電量が所定の閾値より少ない場合、前記受信部への前記電力の供給を禁止する
請求項５に記載の情報処理装置。
【請求項７】
前記制御部は、さらに、前記同軸ケーブルを介して前記信号と重畳して供給され、抽出された前記電力の、前記蓄電部への蓄電を制御する
請求項５または請求項６に記載の情報処理装置。
【請求項８】
前記制御部は、前記蓄電部の蓄電量が所定の閾値より多い場合、前記蓄電部への前記電力の蓄電を禁止する
請求項７に記載の情報処理装置。
【請求項９】
前記制御部は、所定の時間帯において前記蓄電部に前記電力を蓄電させる
請求項７または請求項８に記載の情報処理装置。
【請求項１０】
前記蓄電部をさらに備える
請求項５乃至請求項９のいずれかに記載の情報処理装置。
【請求項１１】
前記制御部は、さらに、無線信号を送信する送信部が駆動する際に電力を供給するように、前記送信部への前記電力の供給を制御する
請求項１乃至請求項１０のいずれかに記載の情報処理装置。
【請求項１２】
前記制御部は、
前記送信部への前記電力の供給を開始して、前記送信部に送信情報を生成させ、生成した前記送信情報を前記無線信号として送信させ、
前記無線信号が送信されたとの通知を取得した場合、前記送信部への前記電力の供給を終了する
請求項１１に記載の情報処理装置。
【請求項１３】
前記送信部をさらに備える
請求項１１または請求項１２に記載の情報処理装置。
【請求項１４】
前記制御部は、さらに、他の通信装置と通信を行う通信部が駆動する際に電力を供給するように、前記通信部への前記電力の供給を制御する
請求項１乃至請求項１３のいずれかに記載の情報処理装置。
【請求項１５】
前記制御部は、
前記通信部への前記電力の供給を開始して、前記通信部に、前記受信部が受信した前記無線信号より得られた情報を記憶する記憶部から前記情報を読み出させ、読み出した前記情報を前記通信により前記他の通信装置に供給させ、
前記情報が前記他の通信装置に供給されたとの通知を取得した場合、前記通信部への前記電力の供給を終了する
請求項１４に記載の情報処理装置。
【請求項１６】
前記通信部をさらに備える
請求項１４または請求項１５に記載の情報処理装置。
【請求項１７】
前記記憶部をさらに備える
請求項１５または請求項１６に記載の情報処理装置。
【請求項１８】
前記受信部は、９２５MHzを含む周波数帯域の前記無線信号を受信する
請求項１乃至請求項１７のいずれかに記載の情報処理装置。
【請求項１９】
情報処理装置が、無線信号を受信する受信部が駆動する際に電力を供給するように、前記受信部への前記電力の供給を制御する
情報処理方法。
【請求項２０】
コンピュータを、
無線信号を受信する受信部が駆動する際に電力を供給するように、前記受信部への前記電力の供給を制御する制御部
として機能させるためのプログラム。
【発明の詳細な説明】
【技術分野】
【０００１】
本技術は、情報処理装置および方法、並びに、プログラムに関し、特に、消費電力の増大を抑制することができるようにした情報処理装置および方法、並びに、プログラムに関する。
【背景技術】
【０００２】
従来、家屋の屋根上等に放送信号受信用のアンテナとともに、通信用のアンテナを設置し、その通信用アンテナと屋内の通信装置との間の送信信号や受信信号の伝送を、放送信号受信用のアンテナにより受信された放送信号を屋内のTV受像機等に伝送する同軸ケーブルを用いて行う方法があった（例えば、特許文献１参照）。
【先行技術文献】
【特許文献】
【０００３】
【特許文献１】特許第４１２５５４５号公報
【発明の概要】
【発明が解決しようとする課題】
【０００４】
しかしながら、この方法の場合、屋内から屋根上への電力の供給は衛星放送用のアンテナに対するものしか想定されていなかった。屋根上に受信機や通信装置等を設置する場合、それらの装置を駆動させるための電源を用意する必要があるが、これらの装置の消費電力が増大すると、より大規模な電力供給を実現しなければならず、そのためには、設備や設置工事等のコストが増大するおそれがあった。【０００５】
本技術は、このような状況に鑑みて提案されたものであり、消費電力の増大を抑制することを目的とする。
【課題を解決するための手段】
【０００６】
本技術の情報処理装置は、無線信号を受信する受信部が駆動する際に電力を供給するように、前記受信部への前記電力の供給を制御する制御部を備える情報処理装置である。【０００７】
前記制御部は、アンテナにおいて受信された放送波信号を伝送する同軸ケーブルを介して前記放送波信号と重畳して供給され、抽出された電力の、前記受信部への供給を制御することができる。【０００８】
前記制御部は、前記受信部への前記電力の供給を開始して、前記受信部に前記無線信号を受信させ、受信した前記無線信号より得られた情報を記憶部に記憶させ、前記情報が前記記憶部に記憶されたとの通知を取得した場合、前記受信部への前記電力の供給を終了することができる。【０００９】
前記受信部をさらに備えることができる。【００１０】
前記制御部は、前記同軸ケーブルを介して前記信号と重畳して供給され、抽出され、蓄電部に蓄電された前記電力の、前記受信部への供給を制御することができる。【００１１】
前記制御部は、前記蓄電部の蓄電量が所定の閾値より少ない場合、前記受信部への前記電力の供給を禁止することができる。【００１２】
前記制御部は、さらに、前記同軸ケーブルを介して前記信号と重畳して供給され、抽出された前記電力の、前記蓄電部への蓄電を制御することができる。【００１３】
前記制御部は、前記蓄電部の蓄電量が所定の閾値より多い場合、前記蓄電部への前記電力の蓄電を禁止することができる。【００１４】
前記制御部は、所定の時間帯において前記蓄電部に前記電力を蓄電させることができる。【００１５】
前記蓄電部をさらに備えることができる。【００１６】
前記制御部は、さらに、無線信号を送信する送信部が駆動する際に電力を供給するように、前記送信部への前記電力の供給を制御することができる。【００１７】
前記制御部は、前記送信部への前記電力の供給を開始して、前記送信部に送信情報を生成させ、生成した前記送信情報を前記無線信号として送信させ、前記無線信号が送信されたとの通知を取得した場合、前記送信部への前記電力の供給を終了することができる。【００１８】
前記送信部をさらに備えることができる。【００１９】
前記制御部は、さらに、他の通信装置と通信を行う通信部が駆動する際に電力を供給するように、前記通信部への前記電力の供給を制御することができる。【００２０】
前記制御部は、前記通信部への前記電力の供給を開始して、前記通信部に、前記受信部が受信した前記無線信号より得られた情報を記憶する記憶部から前記情報を読み出させ、読み出した前記情報を前記通信により前記他の通信装置に供給させ、前記情報が前記他の通信装置に供給されたとの通知を取得した場合、前記通信部への前記電力の供給を終了することができる。【００２１】
前記通信部をさらに備えることができる。【００２２】
前記記憶部をさらに備えることができる。【００２３】
前記受信部は、９２５MHzを含む周波数帯域の前記無線信号を受信することができる。【００２４】
本技術の情報処理方法は、情報処理装置が、無線信号を受信する受信部が駆動する際に電力を供給するように、前記受信部への前記電力の供給を制御する情報処理方法である。【００２５】
本技術のプログラムは、コンピュータを、無線信号を受信する受信部が駆動する際に電力を供給するように、前記受信部への前記電力の供給を制御する制御部として機能させるためのプログラムである。【００２６】
本技術の情報処理装置および方法、並びに、プログラムにおいては、無線信号を受信する受信部が駆動する際に電力を供給するように、前記受信部への前記電力の供給が制御される。
【発明の効果】
【００２７】
本技術によれば、情報を処理することが出来る。また本技術によれば、消費電力の増大を抑制することができる。
【図面の簡単な説明】
【００２８】
【図１】位置通知システムの主な構成例を示す図である。
【図２】位置通知の様子の例を説明する図である。
【図３】中継局の主な構成例を示す図である。
【図４】混合器の主な構成例を示す図である。
【図５】信号の混合の様子例を説明する図である。
【図６】PFの主な構成例を示す図である。
【図７】電源制御装置の主な構成例を示す図である。
【図８】接続部の主な構成例を示す図である。
【図９】送信機の主な構成例を示す図である。
【図１０】スーパーフレームの主な構成例を示す図である。
【図１１】各部における信号の例を説明する図である。
【図１２】高感度受信機の主な構成例を示す図である。
【図１３】受信信号波形の例を示す図である。
【図１４】位相揺らぎの近似の様子の例を説明する図である。
【図１５】復号結果を示す図である。
【図１６】LTEモデムの主な構成例を示す図である。
【図１７】制御処理の流れの例を説明するフローチャートである。
【図１８】制御処理の流れの例を説明する、図１７に続くフローチャートである。
【図１９】電源供給制御処理の流れの例を説明するフローチャートである。
【図２０】中継局の他の構成例を示す図である。
【図２１】電源制御装置の他の構成例を示す図である。
【図２２】制御処理の流れの例を説明するフローチャートである。
【図２３】充電制御処理の流れの例を説明するフローチャートである。
【図２４】電源供給制御処理の流れの他の例を説明するフローチャートである。
【図２５】中継局のさらに他の構成例を示す図である。
【図２６】高感度送受信機の主な構成例を示す図である。
【図２７】制御処理の流れの例を説明するフローチャートである。
【図２８】電源供給制御処理の流れの、さらに他の例を説明するフローチャートである。
【図２９】中継局のさらに他の構成例を示す図である。
【図３０】盗難防止システムの主な構成例を示す図である。
【図３１】コンピュータの主な構成例を示すブロック図である。
【発明を実施するための形態】
【００２９】
以下、本開示を実施するための形態（以下実施の形態とする）について説明する。なお、説明は以下の順序で行う。
１．第１の実施の形態（位置通知システム）
２．第２の実施の形態（電源制御装置）
３．第３の実施の形態（中継局）
４．第４の実施の形態（中継局）
５．第５の実施の形態（信号送受信システム）
【００３０】
＜１．第１の実施の形態＞
＜位置通知システム＞
＜信号送受信システム＞
図１は、本技術を適用した信号送受信システムの一実施の形態である位置通知システムの主な構成例を示す図である。図１に示される位置通知システム１００は、送信機１０１が自身の位置を通知するシステムである。
【００３１】
送信機１０１は、自身の位置を示す位置情報を、無線信号として送信する。中継局１０２は、その無線信号を受信して送信機１０１の位置情報を取得し、その位置情報を、ネットワーク１０３を介してサーバ１０４に供給する。サーバ１０４は、送信機１０１毎に位置情報を管理する。送信機１０１の位置を知りたいユーザに操作される端末装置１０５は、ネットワーク１０３を介してサーバ１０４にアクセスし、送信機１０１の位置情報を取得し、例えば地図データ等とともに表示する等して、ユーザに送信機１０１の位置を通知する。
【００３２】
送信機１０１は、例えば、ユーザが位置を把握したい対象者に携帯させる。図１の例では、高齢者１１０に送信機１０１を携帯させている。送信機１０１は、例えば、GNSS（Global Navigation Satellite System）衛星からGNSS信号を受信する等して、適宜、自身の位置情報（例えば、緯度および経度）を求めることができる。送信機１０１は、適宜、その位置情報を無線信号として送信する。したがって、ユーザは、上述したように端末装置１０５を操作して、位置監視対象である高齢者１１０の位置を把握することができる。
【００３３】
なお、位置監視の対象者は、任意である。例えば、子供であってもよいし、犬や猫等の動物であってもよいし、企業の社員等であってもよい。送信機１０１は、専用の装置として構成されるようにしてもよいが、例えば、携帯電話機やスマートフォンのような携帯型の情報処理装置に組み込むようにしてもよい。
【００３４】
ネットワーク１０３は、任意の通信網であり、有線通信を行ってもよいし、無線通信を行ってもよいし、それらの両方を行ってもよい。また、ネットワーク１０３が、１の通信網により構成されるようにしてもよいし、複数の通信網により構成されるようにしてもよい。例えば、インターネット、公衆電話回線網、所謂3G回線や4G回線等の無線移動体用の広域通信網、WAN（Wide Area Network）、LAN（Local Area Network）、Bluetooth（登録商標）規格に準拠した通信を行う無線通信網、NFC（Near Field Communication）等の近距離無線通信の通信路、赤外線通信の通信路、HDMI（登録商標）（High-Definition Multimedia Interface）やUSB（Universal Serial Bus）等の規格に準拠した有線通信の通信網等、任意の通信規格の通信網や通信路がネットワーク１０３に含まれるようにしてもよい。
【００３５】
サーバ１０４や端末装置１０５は、情報を処理する情報処理装置である。サーバ１０４や端末装置１０５は、ネットワーク１０３に通信可能に接続されており、このネットワーク１０３を介して、ネットワーク１０３に接続される他の通信装置と通信を行い、情報を授受することができる。
【００３６】
このような位置通知システム１００において、送信機１０１、中継局１０２、サーバ１０４、および端末装置１０５の数は任意であり、それぞれ、複数であってもよい。例えば、図２に示されるように、位置通知システム１００が、互いに異なる位置に設置されている中継局１０２をＮ台（Ｎは任意の自然数）有するものとする（中継局１０２−１乃至中継局１０２−Ｎ）。
【００３７】
送信機１０１が無線信号（位置情報）を送信するタイミングは任意である。例えば、送信機１０１が、無線信号を、定期的に送信するようにしてもよいし、所定のイベント発生時（例えば、所定の距離移動した場合や、所定の時刻になった場合等）に送信するようにしてもよい。
【００３８】
この場合、送信機１０１から送信された無線信号は、送信機１０１の近くに位置する中継局１０２により受信される。送信機１０１が中継局１０２−Ｋ（Ｋは、１≦Ｋ≦Ｎの整数）の通信可能範囲１２１内から無線信号を送信すると、中継局１０２−Ｋは、その無線信号を受信して、送信機１０１の位置情報を取得し、その位置情報を、ネットワーク１０３を介してサーバ１０４に供給する（位置情報を中継する）。
【００３９】
高齢者１１０（送信機１０１）が他の中継局１０２の通信可能範囲内に移動して、送信機１０１が無線信号を送信すると、その中継局１０２が同様に位置情報を中継する。したがって、高齢者１１０（送信機１０１）が、いずれかの中継局１０２の通信可能範囲内に位置する限り、ユーザは、高齢者１１０の位置を把握することができる。
【００４０】
サーバ１０４は、送信機１０１の位置情報を管理する。送信機１０１が複数存在する場合、サーバ１０４は、送信機１０１毎にその位置情報を管理する。例えば、送信機１０１は、位置情報とともに自身の識別情報（ID）を送信する。サーバ１０４は、その位置情報を送信機１０１のIDと紐づけて記憶し、管理する。したがって、サーバ１０４は、ユーザ（端末装置１０５）から要求された送信機１０１の位置情報のみを提供することができる。なお、サーバ１０４は、位置情報の提供を許可するユーザも送信機１０１毎に管理することができる。つまり、サーバ１０４は、各送信機１０１の位置情報を、その送信機１０１の位置情報の取得が許可されたユーザに対してのみ提供することができる。
【００４１】
なお、サーバ１０４が、送信機１０１の位置情報を、送信機１０１のID以外の他の情報と紐づけて管理するようにしてもよい。例えば、サーバ１０４が、送信機１０１の位置情報を時刻情報等と紐づけて記憶し、管理するようにしてもよい。このようにすることにより、サーバ１０４は、送信機１０１の位置情報の履歴を管理し、提供することができる。
【００４２】
なお、その時刻情報は、送信機１０１から送信されるようにしてもよい。例えば、送信機１０１が、位置情報とともにGNSS信号に含まれる時刻情報を無線信号として送信するようにしてもよい。
【００４３】
また、送信機１０１が送信する位置情報は、サーバ１０４において、送信機１０１の位置を示す情報として管理することができる情報であればよく、その内容は任意である。例えば、送信機１０１がGNSS信号から位置情報を求めずに、GNSS信号（若しくはGNSS信号に含まれる時刻情報）を送信するようにしてもよい。その場合、中継局１０２若しくはサーバ１０４等が、そのGNSS信号若しくは時刻情報を用いて、送信機１０１の位置情報を求めるようにしてもよい。また、そのGNSS信号若しくは時刻情報を用いて、送信機１０１の位置情報を求める情報処理装置（サーバ等）を別途設けるようにしてもよい。
【００４４】
また、例えば、送信機１０１からの無線信号を受信する中継局１０２の設置位置に基づいて、送信機１０１の位置が求められるようにしてもよい。例えば図２の場合、送信機１０１は、中継局１０２の通信可能範囲１２１内に位置する。このような場合に、サーバ１０４が、中継局１０２−Ｋが中継したことをもって、送信機１０１が中継局１０２−Ｋの通信可能範囲１２１内に位置すると推定し、その旨を位置情報として管理するようにしてもよい。つまり、この場合、送信機１０１の位置は、中継局１０２の数（各中継局１０２の通信可能範囲の広さ）の粒度で管理される。この場合、送信機１０１は、少なくとも、自身のIDを無線信号として送信すればよい。
【００４５】
また、例えば、中継局１０２が受信する無線信号の電波強度等から中継局１０２と送信機１０１との距離を推定し、サーバ１０４が、その距離も位置情報として管理するようにしてもよい。つまり、サーバ１０４が、送信機１０１がどの中継局１０２の通信可能範囲内に位置し、かつ、その中継局１０２と送信機１０１との距離がいくつであるかを管理するようにしてもよい。この距離の推定は、中継局１０２において行われるようにしてもよいし、サーバ１０４において行われるようにしてもよいし、別途設けられた専用の情報処理装置（サーバ等）により行われるようにしてもよい。
【００４６】
また、例えば、送信機１０１が、複数の中継局１０２の通信可能範囲が重畳する部分に位置する場合、すなわち、送信機１０１が送信した無線信号が複数の中継局１０２により中継される場合、三角法等を用いて送信機１０１の位置が推定されるようにしてもよい。この位置の推定は、例えば、サーバ１０４において行われるようにしてもよいし、別途設けられた専用の情報処理装置（サーバ等）により行われるようにしてもよい。
【００４７】
なお、いずれの中継局１０２も、任意の送信機１０１の情報を中継することができるようにしてもよいし、各中継局１０２が、自身に対応する送信機１０１の情報のみを中継するようにしてもよい。例えば、ある送信機１０１から送信される情報は、その送信機１０１の所有者（若しくは管理者）が所有若しくは管理する中継局１０２のみが中継することができるようにしてもよい。この所有者（若しくは管理者）には、個人だけでなく事業者も含まれるようにしてもよい。このようにすることにより、中継局１０２を複数のユーザで共有することを避けることができ、例えば情報漏洩等の、通信の安全性の低減を抑制することができる。また、ユーザが支払う料金の金額に応じて、利用可能な中継局１０２の数が設定されるようにしてもよい。これにより、対価に応じて提供するサービスの質の差別化を図ることができる。
【００４８】
＜中継局＞
上述したように、送信機１０１が、いずれかの中継局１０２の通信可能範囲内に位置する状態において、サーバ１０４は、その送信機１０１の位置を管理することができる。換言するに、送信機１０１の位置が、いずれの中継局１０２の通信可能範囲からも外れると、サーバ１０４は、その位置を管理することができなくなる。したがって、中継局１０２の送信機１０１との通信可能範囲網がより広範囲になる程、サーバ１０４は、送信機１０１の位置をより正確に管理することができる。ここで、より正確な管理とは、より広範囲において送信機１０１の位置を管理することを意味する。つまり、送信機１０１の位置を管理可能な範囲をより広範囲とするためには、送信機１０１と中継局１０２とがより遠くまで無線信号を送受信することができる程（各中継局１０２の通信可能範囲がより広い程）好ましい。また、各中継局１０２は、互いに異なる位置に設置されるので、中継局１０２の数が多い程好ましい。さらに、有用性を考慮すれば、送信機１０１が位置する可能性がより高い領域を中継局１０２の通信可能範囲とすることが好ましい。
【００４９】
中継局１０２の設置位置は任意である。ただし、上述したように、設置数や有用性等を考慮すれば、例えば、ビル、マンション、家屋等の建造物は、送信機１０１を携帯する位置監視対象者（例えば高齢者１１０）が位置する可能性が高い都市部に数も多く、また、設置も容易であるので、好適である。特に、位置監視対象者の自宅は、その周辺に位置監視対象者が位置する可能性がより高く、好適である。また、設置場所の確保という面についても、この位置通知サービス提供事業者が独自に場所を確保して中継局１０２を設置する場合よりも、同意を得やすく容易である。
【００５０】
さらに、例えば、位置監視対象者（若しくはユーザ）が、中継局１０２を購入若しくは借用して設置することにより、この位置通知サービス提供事業者が独自に中継局１０２を設置する場合よりも、位置通知サービス提供事業者の負荷（コスト）を低減することができる。つまり、このようにすることにより、より低コストに、より多くの中継局１０２を設置することができる。上述したように、位置通知システム１００としては、中継局１０２の数が多い程、提供可能なサービスの質が向上することになり、好ましい。つまり、より有用なシステムをより低コストに実現することができる。
【００５１】
なお、上述したように中継局１０２の設置場所は任意であり、例えば、自動車、バイク、自転車等の移動可能な物体（移動体とも称する）に設置するようにしてもよい。つまり、中継局１０２の位置が可変であってもよい。
【００５２】
以下においては、中継局１０２を位置監視対象者の自宅（家屋）に設置する場合を例に説明する。一般的に、中継局１０２を屋内等の家屋の低い位置に設置すると、地上高が低いことや障害物等により、送信機１０１からの無線信号を受信する性能が低減する可能性がある。上述したように、中継局１０２の通信可能範囲は広い程好ましいので、中継局１０２は、その通信可能範囲をより広くするために、例えば屋根上等の、できるだけ高所に設置するのが好ましい。
【００５３】
例えば、中継局１０２を屋根上に設置する場合、一般的に、近傍に家庭用電源のコンセント等が無いため、例えば近隣の電柱や屋内等から電源ケーブル等を敷設して中継局１０２に電源を供給させなければならない。このように新たに電源ケーブルを敷設するためには工事等の煩雑な作業が必要になる。そのため、敷設する電源ケーブル等による設備費用が増大だけでなく、工事費用も増大する可能性があり、中継局１０２の設置のコストが大幅に増大する可能性があった。
【００５４】
そこで、図３に示される例のように、既存の（敷設済みの）アンテナケーブルを利用して中継局１０２の電源を確保するようにする。
【００５５】
図３の例の場合、中継局１０２は、位置監視対象者の自宅（家屋）である建物１３０の屋根上に設置されている。この建物１３０は、戸建であってもよいし、店舗やオフィス等が入居するビルディングであってもよいし、アパートやマンション等の集合住宅であってもよい。
【００５６】
この建物１３０の屋根上には、地上波アンテナ１４１、衛星アンテナ１４２、混合器１４３、アンテナケーブル１４４乃至アンテナケーブル１４６、電源ケーブル１４８、および中継局１０２が設置されている。これらの屋根上に設置される設備をまとめて屋根上設備１３１とも称する。また、建物１３０の屋内には、TV受像機１４７が設置されている。
【００５７】
地上波アンテナ１４１は、地上波TVデジタル放送の放送信号を受信するためのアンテナである。地上波アンテナ１４１において受信された放送信号は、アンテナケーブル１４４を介して混合器１４３に供給される。
【００５８】
衛星アンテナ１４２は、例えばBS（Broadcasting Satellite）放送やCS（Communications Satellite）放送等の衛星放送の放送信号を受信するためのアンテナである。衛星アンテナ１４２において受信された放送信号は、アンテナケーブル１４５を介して混合器１４３に供給される。なお、衛星アンテナ１４２は、アンテナケーブル１４５を介して混合器１４３から供給される電力を用いて駆動する。
【００５９】
混合器１４３は、アンテナケーブル１４４を介して供給される地上波TVデジタル放送の放送信号と、アンテナケーブル１４５を介して供給される衛星放送の放送信号とを混合し、その混合信号（RF）を、アンテナケーブル１４６を介して屋内のTV受像機１４７に供給する。また、混合器１４３は、アンテナケーブル１４６を介して屋内（例えばTV受像機１４７）から供給される電力を、アンテナケーブル１４５を介して衛星アンテナ１４２に供給したり、電源ケーブル１４８を介して中継局１０２に供給したりする。
【００６０】
アンテナケーブル１４４は、地上波アンテナ１４１および混合器１４３に接続され、地上波アンテナ１４１において受信された放送信号を混合器１４３に伝送するケーブルである。
【００６１】
アンテナケーブル１４５は、衛星アンテナ１４２および混合器１４３に接続され、衛星アンテナ１４２において受信された放送信号を混合器１４３に伝送するケーブルである。また、アンテナケーブル１４５は、混合器１４３から供給される電力を、その放送信号に重畳して、衛星アンテナ１４２に伝送する。
【００６２】
アンテナケーブル１４６は、混合器１４３およびTV受像機１４７に接続され、地上波アンテナ１４１において受信された放送信号と、衛星アンテナ１４２において受信された放送信号との混合信号を混合器１４３からTV受像機１４７に伝送するケーブルである。また、アンテナケーブル１４６は、TV受像機１４７から供給される電力を、その混合信号に重畳して、混合器１４３に伝送する。
【００６３】
TV受像機１４７は、例えば建物１３０の屋内に設置され、屋根上から伝送される放送信号を利用する設備である。TV受像機１４７は、例えば、アンテナケーブル１４６を介して屋根上設備１３１（混合器１４３）から伝送される放送信号を復調する等して、その放送信号に含まれる放送番組等の画像を表示したり音声を出力したりする。また、TV受像機１４７は、建物１３０の屋内に設置されるコンセント等から供給される家庭用電源により駆動し、さらに、その電力の一部を、アンテナケーブル１４６を介して屋根上設備１３１（混合器１４３）に伝送させる。なお、建物１３０の屋内に設置する設備は、屋根上から伝送される放送信号を利用するものであれば、どのようなものであってもよい。例えば、TV受像機１４７の代わりに、セットトップボックス、ハードディスクレコーダ、TV放送チューナ付きのルータやコンピュータ等を屋内に設置するようにしてもよい。また、この建物１３０の屋内に設置される装置の数は任意であり、複数であってもよい。
【００６４】
アンテナケーブル１４４乃至アンテナケーブル１４６は、例えば、同軸ケーブルにより実現される。もちろん、アンテナケーブル１４４乃至アンテナケーブル１４６が同軸ケーブル以外のケーブルであってもよい。
【００６５】
電源ケーブル１４８は、混合器１４３および中継局１０２（電源制御装置１５１）に接続され、混合器１４３から供給される電力を中継局１０２（電源制御装置１５１）に伝送する。電源ケーブル１４８は、例えば、同軸ケーブルにより実現される。もちろん、電源ケーブル１４８が同軸ケーブル以外のケーブルであってもよい。
【００６６】
中継局１０２は、送信機１０１から送信される無線信号を受信し、その無線信号に含まれる所定の情報を取得し、その情報をネットワーク１０３を介してサーバ１０４に供給する装置である。図３に示されるように、中継局１０２は、電源制御装置１５１、高感度受信機１５２、メモリ１５３、およびLTE（Long Term Evolution）モデム１５４を有する。
【００６７】
高感度受信機１５２は、アンテナ１５２Ａを用いて、送信機１０１から送信される無線信号を高感度に受信する。高感度受信機１５２は、その無線信号に含まれる情報（例えば、送信機１０１の位置情報やID等）を取得し、取得したその情報をメモリ１５３に供給して記憶させる。また、高感度受信機１５２は、アンテナ１５２Ｂを用いて、GNSS衛星１６１から送信されるGNSS信号を受信することもできる。高感度受信機１５２は、受信したGNSS信号から自身の位置情報を求め、その位置情報をメモリ１５３に供給して記憶させる。高感度受信機１５２は、電源制御装置１５１から供給される電力により駆動する。
【００６８】
メモリ１５３は、例えば、RAM（Random Access Memory）、SSD（Solid State Drive）、フラッシュメモリ等の半導体メモリや、ハードディスク等の磁気記録媒体等の、書き込み（書き換え）可能な任意の記録媒体（記憶媒体）を有する。メモリ１５３は、その記録媒体（記憶媒体）により、高感度受信機１５２から供給される情報を記憶する。また、メモリ１５３は、LTEモデム１５４からの要求に応じて、自身が記憶している情報を読み出してLTEモデム１５４に供給する。メモリ１５３は、電源制御装置１５１から供給される電力により駆動する。
【００６９】
LTEモデム１５４は、メモリ１５３に記憶されている情報を読み出し、その情報を、ネットワーク１０３を介してサーバ１０４に供給する。LTEモデム１５４は、LTEと称する通信規格に準拠した無線通信により図示せぬ基地局と接続し、その基地局を介してネットワーク１０３に接続する。LTEは、３GPP（Third Generation Partnership Project）により仕様が標準化された、携帯電話機等のモバイル端末向けの通信規格である。つまり、中継局１０２は、LTEモデム１５４によって一般の（汎用の）通信網であるネットワーク１０３に接続する。これにより中継局１０２は、送信機１０１から得た情報を、そのネットワーク１０３を介して、サーバ１０４に供給することができる（つまり、情報を中継することができる）。LTEモデム１５４は、電源制御装置１５１から供給される電力により駆動する。
【００７０】
電源制御装置１５１は、TV受像機１４７、アンテナケーブル１４６、混合器１４３、および電源ケーブル１４８を介して供給される電力を、高感度受信機１５２、メモリ１５３、およびLTEモデム１５４に供給する。電源制御装置１５１は、それらの内、少なくともいずれか１つへの電力供給を制御する。例えば、電源制御装置１５１は、高感度受信機１５２とLTEモデム１５４への電力の供給を制御する。
【００７１】
例えば、電源制御装置１５１は、高感度受信機１５２に対して電力の供給を開始することにより、高感度受信機１５２を駆動させて、上述したような動作を実行させる。また、例えば、高感度受信機１５２から所望の処理が終了した旨の通知を受けると、電源制御装置１５１は、電力の供給を終了して、高感度受信機１５２の駆動を終了させる。
【００７２】
さらに、例えば、電源制御装置１５１は、LTEモデム１５４に対して電力の供給を開始することにより、LTEモデム１５４を駆動させて、上述したような動作を実行させる。また、例えば、LTEモデム１５４から所望の処理が終了した旨の通知を受けると、電源制御装置１５１は、電力の供給を終了して、LTEモデム１５４の駆動を終了させる。
【００７３】
このように、電源制御装置１５１が、高感度受信機１５２やLTEモデム１５４への電力供給を、それらを駆動させる場合のみに制限することにより、電源制御装置１５１は、高感度受信機１５２やLTEモデム１５４（すなわち、中継局１０２）の消費電力の増大を抑制することができる。
【００７４】
＜既存設備利用による設置の容易化＞
図３に示される屋根上設備１３１の構成の内、地上波アンテナ１４１、衛星アンテナ１４２、並びに、アンテナケーブル１４４乃至アンテナケーブル１４６は、既存（設置済み）の設備である。つまり、中継局１０２は、混合器１４３および電源ケーブル１４８を介して、既存の設備に接続され、その既存の設備を利用して屋内から電力の供給を受けている。つまり、この場合、混合器１４３および電源ケーブル１４８を設置するのみで、中継局１０２の電源を確保することができる。したがって、屋根上の中継局１０２に対して専用の電源ケーブルを屋内等から敷設する場合よりも、より容易に設置する（設備費用の増大を抑制し、工事の難易度や作業量の増大を抑制して工事費用の増大を抑制する）ことができる。つまり、中継局１０２の屋根上等の建物１３０の高所への設置をより容易化することができる。
【００７５】
＜消費電力制御＞
ただし、アンテナケーブル１４６（例えば同軸ケーブル）を介した電力の供給量は有限であり、一般的に、それ程大きな値では無い。例えば、電圧DC１５（Ｖ）、電流０．５（Ａ）程度である。そのため、高感度受信機１５２やLTEモデムの消費電力が増大すると、電力の供給が不足する可能性がある。
【００７６】
そこで、電源制御装置１５１が、高感度受信機１５２が駆動する際に電力を供給するように、高感度受信機１５２への電力の供給を制御する。また、電源制御装置１５１が、LTEモデム１５４が駆動する際に電力を供給するように、LTEモデム１５４への電力の供給を制御するようにしてもよい。また、電源制御装置１５１が、高感度受信機１５２およびLTEモデム１５４のそれぞれが駆動する際に電力を供給するように、高感度受信機１５２およびLTEモデム１５４のそれぞれへの電力の供給を制御するようにしてもよい。
【００７７】
送信機１０１は、常に無線信号を送信し続けるものではないので、高感度受信機１５２やLTEモデム１５４も、常に駆動している必要が無い場合も有り得る。例えば、送信機１０１が間欠的に無線信号を送信する場合、その送信タイミングを把握していれば、高感度受信機１５２は、その送信タイミングに応じた受信タイミング以外の期間において駆動する必要が無い場合も有り得る。そして、高感度受信機１５２が無線信号を受信するまで、LTEモデム１５４も駆動する必要が無い。また、例えば、夜間等に送信機１０１の使用が中断されるような場合、その期間に高感度受信機１５２やLTEモデム１５４も駆動させる必要が無い場合も有り得る。また、送信機１０１による無線信号の送信タイミングに関わらず、高感度受信機１５２やLTEモデム１５４を間欠的に駆動させるようにすることができる場合も有り得る。例えば、送信機１０１が送信する無線信号を全て受信しなくても良い場合（例えば、送信機１０１が同じ情報を繰り返し送信する場合や、一部の情報が欠落しても問題ない場合等）も有り得る。
【００７８】
したがって、このようにすることにより、中継局１０２は、高感度受信機１５２やLTEモデム１５４が駆動していない不要なタイミングにおける、それらへの電力の供給を抑制することにより、それらの消費電力の増大を抑制することができる。これにより、中継局１０２は、電力不足の発生を抑制し、より安定的な電力の供給を実現することができる。
【００７９】
例えば、上述したように、高感度受信機１５２乃至LTEモデム１５４に供給する電力が、地上波アンテナ１４１や衛星アンテナ１４２等のアンテナにおいて受信された放送信号を伝送する同軸ケーブルを介してその放送信号と重畳して供給され、抽出されるようにしてもよい。つまり、既存の設備（同軸ケーブル等のアンテナケーブル１４６）を介して電力が供給されるようにしてもよい。
【００８０】
このような場合であっても、電源制御装置１５１が上述したように高感度受信機１５２やLTEモデム１５４への電力の供給を制御することにより、中継局１０２は、電力不足の発生を抑制し、より安定的な電力の供給を実現することができる。つまり、中継局１０２の屋根上等の建物１３０の高所への設置をより容易化することができる。
【００８１】
＜混合器＞
図４は、混合器１４３の主な構成例を示す図である。図４に示されるように、混合器１４３は、４つの端子（端子１７１乃至端子１７４）を有する。端子１７１にはアンテナケーブル１４４が接続され、地上波アンテナ１４１において受信された地上波TV放送の放送信号（VHF（Very High Frequency）・UHF（Ultra High Frequency）信号）がその端子１７１から入力される。端子１７４にはアンテナケーブル１４５が接続され、衛星アンテナ１４２において受信されたBS放送やCS放送の放送信号（BS・CS信号）がその端子１７４から入力される。また、混合器１４３内で抽出されたTV受像機１４７から供給された電力が、混合器１４３内においてBS・CS信号に重畳され、その端子１７４から出力される。
【００８２】
端子１７２にはアンテナケーブル１４６が接続され、混合器１４３内で生成されたVHF・UHF信号とBS・CS信号との混合信号がその端子１７２から出力される。また、その混合信号に重畳されてTV受像機１４７から供給される電力が、その端子１７２から入力される。端子１７３には電源ケーブル１４８が接続され、混合器１４３内で抽出されたTV受像機１４７から供給された電力が、その端子１７３から出力される。
【００８３】
また、混合器１４３は、内部に、ローパスフィルタ（LPF（Low-Pass Filter））１８１、低ノイズ増幅部（LNA（Low-noise amplifier））１８２、ハイパスフィルタ（HPF（High-Pass Filter））１８３、混合部１８４、電源フィルタ（PF（Power Filter））１８５、および混合部１８６を有する。
【００８４】
LPF１８１は、所定の周波数よりも低周波側の帯域の信号を通過させるフィルタである。例えば図５において点線で示されるように、LPF１８１は、VHF帯（３０MHz乃至３００MHz）の内のTV放送信号（VHS信号）が送信される帯域（９０MHz乃至２２２MHz）と、UHF帯（３００MHz乃至３０００MHz）の内のTV放送信号（UHF信号）が送信される帯域（４７０MHz乃至７７０MHz）とを含む低周波側の帯域の信号を通過させ、BS・CS信号が送信される帯域（９５０MHz乃至２１５０MHz）を含む高周波側の帯域の信号を除去する。LPF１８１は、端子１７１から入力される放送信号（VHF・UHF信号）に対して、上述したフィルタ処理を行い、不要な高周波成分を除去した信号をLNA１８２に供給する。
【００８５】
LNA１８２は、LPF１８１の出力信号（VHF・UHF信号）を増幅し、混合部１８４に供給する。
【００８６】
HPF１８３は、所定の周波数よりも高周波側の帯域の信号を通過させるフィルタである。例えば図５において点線で示されるように、HPF１８３は、BS・CS信号が送信される帯域（９５０MHz乃至２１５０MHz）を含む高周波側の帯域の信号を通過させ、VHF・UHF信号が送信される帯域（９０MHz乃至２２２MHz、並びに、４７０MHz乃至７７０MHz）を含む低周波側の帯域の信号を除去する。HPF１８３は、端子１７４から入力される放送信号（BS・CS信号）に対して、上述したフィルタ処理を行い、不要な低周波成分を除去した信号（BS・CS信号）を混合部１８４に供給する。
【００８７】
混合部１８４は、LNA１８２から供給されるVHF・UHF信号と、HPF１８３から供給されるBS・CS信号とを混合し、混合信号を生成する。混合部１８４は、その混合信号を端子１７２を介してアンテナケーブル１４６に出力する。この混合信号には、TV受像機１４７により所定の電圧（DC成分）が印加される。つまり、混合信号に重畳して電力がTV受像機１４７から混合器１４３に供給される。
【００８８】
PF１８５は、この電力が重畳された混合信号に対してフィルタ処理を行い、その電力を抽出する。すなわち、PF１８５は、混合信号からDC成分を抽出する。PF１８５は、抽出した電力を混合部１８６に供給する。混合部１８６は、その電力をBS・CS信号に重畳して、端子１７４を介してアンテナケーブル１４５に出力する。すなわち、混合部１８６は、BS・CS信号に所定の電圧（DC成分）を印加する。これにより、電力が衛星アンテナ１４２に供給される。衛星アンテナ１４２は、その電力により駆動し、衛星放送の放送信号を受信する。
【００８９】
また、PF１８５は、抽出した電力を端子１７３を介して電源ケーブル１４８に出力する。これにより、電力が、中継局１０２（電源制御装置１５１）にも供給される。
【００９０】
＜PF＞
PF１８５の主な構成例を図６に示す。図６に示されるように、PF１８５は、インダクタ１９１乃至インダクタ１９３、並びに、キャパシタ１９４乃至キャパシタ１９６を有する。インダクタ１９１乃至インダクタ１９３は、互いに直列に接続される。インダクタ１９１は、一方が混合部１８４や端子１７２に接続され、他方がインダクタ１９２に接続される。インダクタ１９２は、一方がインダクタ１９１に接続され、他方がインダクタ１９３に接続される。インダクタ１９３は、一方がインダクタ１９２に接続され、他方が混合部１８６や端子１７３に接続される。
【００９１】
キャパシタ１９４は、一方がインダクタ１９１とインダクタ１９２との間に接続され、他方が接地される。キャパシタ１９５は、一方がインダクタ１９２とインダクタ１９３との間に接続され、他方が接地される。キャパシタ１９６は、一方がインダクタ１９３と混合部１８６（端子１７３）との間に接続され、他方が接地される。
【００９２】
PF１８５は、例えば、このようなLC回路によりフィルタ処理を行い、電力（DC成分）を抽出する。
【００９３】
＜電源制御装置＞
図７は、電源制御装置１５１の主な構成例を示す図である。図７に示されるように、電源制御装置１５１は、電源端子２０１乃至電源端子２０４を有する。電源端子２０１には、（電源ケーブル１４８を介して）混合器１４３が接続される。混合器１４３の端子１７３から出力された電力は、電源ケーブル１４８を介して電源端子２０１に入力される。また、電源端子２０２には、高感度受信機１５２が接続される。電源端子２０３には、LTEモデム１５４が接続される。電源端子２０４には、メモリ１５３が接続される。なお、図示は省略するが、電源制御装置１５１は、その他の任意の端子を有することができる。
【００９４】
電源制御装置１５１は、制御部２１１および接続部２１２を有する。制御部２１１は、接続部２１２の制御に関する処理を行う。電源端子２０１から入力された電力は、接続部２１２に供給される。接続部２１２は、その電力の供給先を電源端子２０２および電源端子２０３の中から選択する。
【００９５】
例えば、接続部２１２は、電源端子２０１から入力された電力を、電源端子２０２から出力させる（高感度受信機１５２に供給する）か、電源端子２０３から出力させる（LTEモデム１５４に供給する）か、どちらにも供給しないかを選択する。つまり、接続部２１２は、電源端子２０１を電源端子２０２に接続するか否か、並びに、電源端子２０１を電源端子２０３に接続するか否かを選択する。接続部２１２は、制御部２１１の制御に従ってこのような選択を行う。
【００９６】
制御部２１１は、例えば、高感度受信機１５２若しくはLTEモデム１５４を駆動させたいタイミングにおいて、接続部２１２を制御して、電源端子２０２若しくは電源端子２０３に対する電力供給を開始させる。電源端子２０２に供給された電力は、その電源端子２０２を介して高感度受信機１５２に供給される。高感度受信機１５２は、その電力を利用して駆動する。同様に、電源端子２０３に供給された電力は、その電源端子２０３を介してLTEモデム１５４に供給される。LTEモデム１５４は、その電力を利用して駆動する。
【００９７】
なお、この制御の実行タイミングは任意である。例えば、予め定められた所定のタイミングであってもよいし、所定の動作条件を満たす等の何らかのイベントに応じたタイミングであってもよいし、高感度受信機１５２やLTEモデム１５４等の外部からの通知に基づくタイミングであってもよい。
【００９８】
また、制御部２１１は、例えば、高感度受信機１５２若しくはLTEモデム１５４を駆動させたくないタイミングにおいて、接続部２１２を制御して、電源端子２０２若しくは電源端子２０３に対する電力供給を遮断させて終了させる。電源端子２０２への電力の供給が終了すると、高感度受信機１５２への電力の供給も終了するので、高感度受信機１５２の駆動が終了する。同様に、電源端子２０３への電力の供給が終了すると、LTEモデム１５４への電力の供給も終了するので、LTEモデム１５４の駆動が終了する。
【００９９】
なお、この制御の実行タイミングも任意である。例えば、予め定められた所定のタイミングであってもよいし、所定の動作条件を満たす等の何らかのイベントに応じたタイミングであってもよいし、高感度受信機１５２やLTEモデム１５４等の外部からの通知に基づくタイミングであってもよい。
【０１００】
また、接続部２１２が、電力を電源端子２０２および電源端子２０３の両方に供給することができるようにしてもよい。ただし、いずれか一方（電源端子２０２若しくは電源端子２０３）にしか電力を供給することができないようにすることにより、高感度受信機１５２とLTEモデム１５４とが同時に駆動しないようにすることができ、消費電力のピーク（最大値）を抑制することができる。したがって、中継局１０２は、電力不足の発生を抑制し、より安定的な電力の供給を実現することができる。
【０１０１】
なお、接続部２１２に供給される電力は、接続部２１２の駆動にも利用される。また、電源端子２０１から入力された電力は、制御部２１１にも供給され、制御部２１１の駆動にも利用される。また、電源端子２０１から入力された電力は、電源端子２０４にも供給され、その電源端子２０４を介してメモリ１５３に供給される。メモリ１５３は、この電力を利用して駆動する。
【０１０２】
なお、このメモリ１５３への電力供給は、図７の例のように、常時行われるようにしてもよいし、高感度受信機１５２やLTEモデム１５４に対する場合と同様に、電源制御装置１５１（制御部２１１および接続部２１２）により制御されるようにしてもよい。
【０１０３】
＜接続部＞
接続部２１２の構成は任意である。例えば、図８のＡに示されるように、接続部２１２が、１入力３出力のスイッチ２２０により構成されるようにしてもよい。このスイッチ２２０は、入力側の端子として端子２２１を有し、出力側の端子として、端子２２２乃至端子２２４を有する。端子２２１は、電源端子２０１に接続される。端子２２２は、電源端子２０２に接続される。端子２２３は、電源端子２０３に接続される。端子２２４は、いずれの電源端子にも接続されていない（開放されている）。
【０１０４】
スイッチ２２０は、制御線２２５を介した制御部２１１の制御に従って、端子２２１を、端子２２２乃至端子２２４のいずれかに接続する。すなわち、スイッチ２２０は、制御部２１１の制御に従って、電源端子２０１を介して入力される電力の供給先を選択する。例えば、端子２２１が端子２２２に接続される場合、電源端子２０１を介して入力される電力の供給先は、電源端子２０２（高感度受信機１５２）となる。また、例えば、端子２２１が端子２２３に接続される場合、電源端子２０１を介して入力される電力の供給先は、電源端子２０３（LTEモデム１５４）となる。なお、例えば、端子２２１が端子２２４に接続される場合、電源端子２０１を介して入力される電力は、いずれの電源端子（いずれの装置）にも供給されない。
【０１０５】
また、例えば、図８のＡに示されるように、接続部２１２が、出力側の電源端子毎の１入力１出力のスイッチ（スイッチ２３０およびスイッチ２４０）により構成されるようにしてもよい。この場合、スイッチ２３０は、入力側の端子として端子２３１を有し、出力側の端子として、端子２３２を有する。端子２３１は、電源端子２０１に接続され、端子２３２は、電源端子２０２に接続される。スイッチ２３０は、制御線２３３を介した制御部２１１の制御に従って、端子２３１と端子２３２との間を接続したり、切断したりする。すなわち、スイッチ２３０は、制御部２１１の制御に従って、電源端子２０１を介して入力される電力を、高感度受信機１５２に供給するか否かを選択する。
【０１０６】
また、スイッチ２４０は、入力側の端子として端子２４１を有し、出力側の端子として、端子２４２を有する。端子２４１は、電源端子２０１に接続され、端子２４２は、電源端子２０３に接続される。スイッチ２４０は、制御線２４３を介した制御部２１１の制御に従って、端子２４１と端子２４２との間を接続したり、切断したりする。すなわち、スイッチ２４０は、制御部２１１の制御に従って、電源端子２０１を介して入力される電力を、LTEモデム１５４に供給するか否かを選択する。
【０１０７】
例えば、スイッチ２３０により端子２３１と端子２３２との間が接続され、スイッチ２４０により端子２４１と端子２４２との間が切断される場合、電源端子２０１を介して入力される電力の供給先は、電源端子２０２（高感度受信機１５２）となる。また、例えば、スイッチ２３０により端子２３１と端子２３２との間が切断され、スイッチ２４０により端子２４１と端子２４２との間が接続される場合、電源端子２０１を介して入力される電力の供給先は、電源端子２０３（LTEモデム１５４）となる。また、例えば、スイッチ２３０により端子２３１と端子２３２との間が切断され、スイッチ２４０により端子２４１と端子２４２との間が切断される場合、電源端子２０１を介して入力される電力は、いずれの電源端子（いずれの装置）にも供給されない。
【０１０８】
＜送信機＞
次に、送信機１０１と高感度受信機１５２との間で行われる無線信号の送受信について説明する。送信機１０１と高感度受信機１５２との間の無線信号の送受信は、９２５MHzを含む周波数帯（９２０MHz帯とも称する）を用いて行われる。
【０１０９】
図９は、送信機１０１の主な構成例を示す図である。図９に示されるように、送信機１０１は、擬似乱数列生成部２５１、キャリア発振部２５２、乗算部２５３、バンドパスフィルタ（BPF）２５４、増幅部２５５、およびアンテナ２５６を有する。
【０１１０】
送信される情報は、符号化されて擬似乱数列として送信される。擬似乱数列生成部２５１は、その擬似乱数列を生成する。擬似乱数列生成部２５１は、送信情報生成部２６１、CRC（Cyclic Redundancy Check）付加部２６２、同期信号発生部２６３、選択部２６４、フレームカウンタ２６５、レジスタ２６６、インタリーブ部２６７、Gold符号発生部２６８、および乗算部２６９を有する。
【０１１１】
送信情報生成部２６１は、無線信号として送信する情報である送信情報TMを生成する。この送信情報TMは任意の情報である。例えば、送信情報生成部２６１が、GNSS衛星からGNSS信号を受信し、そのGNSS信号を用いて送信機１０１の現在位置を示す位置情報（例えば緯度経度等）を生成し、その位置情報を含む送信情報TMを生成するようにしてもよい。また、例えば、送信情報生成部２６１が、GNSS衛星から受信したGNSS信号（若しくはそのGNSS信号に含まれる時刻情報）を含む送信情報TMを生成するようにしてもよい。さらに、例えば、送信情報生成部２６１が、送信機１０１の識別情報（ID）を含む送信情報TMを生成するようにしてもよい。また、例えば、送信情報生成部２６１が他の装置（例えばセンサ等）から情報を取得し、その情報を含む送信情報TMを生成するようにしてもよい。送信機１０１は、送信情報TMを用いて送信信号TXを生成する。送信情報生成部２６１は、生成した送信情報TMをCRC付加部２６２に供給する。
【０１１２】
CRC付加部２６２は、送信情報生成部２６１から供給される送信情報TMに、誤り検出用の巡回冗長検査符号（CRC）を付加する。この巡回冗長検査符号は、どのようなものであってもよく、そのデータ長も任意である。CRC付加部２６２は、巡回冗長検査符号が付加された送信信号TMを選択部２６４に供給する。同期信号発生部２６３は、所定の同期パタンを発生する。この同期パタンは、どのようなものであってもよく、そのデータ長も任意である。同期信号発生部２６３は、その同期パタンを選択部２６４に供給する。選択部２６４は、適宜入力を選択することにより、CRC付加部２６２から供給される巡回冗長検査符号が付加された送信情報TMに、同期信号発生部２６３から供給される同期パタンを付加する。つまり、選択部２６４は、無線信号として送信される所定の信号としての送信情報TMを生成する。選択部２６４は、その巡回冗長検査符号と同期パタンが付加された送信情報TMを、レジスタ２６６に供給し保持させる。
【０１１３】
送信機１０１は、９２０MHz帯の無線電波を使って、送信信号TXを送信する。９２０MHz帯は、総務省により２０１１年７月から解禁された周波数帯であり、免許不要で誰でも使うことができる。但し、規定（ARIB（Association of Radio Industries and Businesses） STD T-１０８）により、最大連続送信時間が４秒間に制限されている。さらに連続送信時間を短くして、例えば０．２秒にすれば、より多くのチャネルが割り当てられ、混信が少ない状態で送受信を行うことができる。
【０１１４】
そこで、送信機１０１は、１回のデータ送信を、例えば、図１０に示されるような所定時間のスーパーフレーム（Super Frame）の単位で行う。この所定時間の長さは任意である。例えば、３０秒や５分等としてもよい。この所定時間内に、０．１９２秒のフレームが最大で１００回繰り返される。すなわち、連続送信時間０．２秒を下回っているので、この送信に多くの送信チャネルを割り当てることができる。この結果、比較的空いているチャネルを選択して送信することが可能となり、より混信に強いシステムを構築することができる。
【０１１５】
なお、フレーム間のギャップxは、少なくとも２ms以上の時間である。日本国内で９２０MHｚ帯を利用する場合、信号送信の前にその帯域において通信が行われているかを確認するキャリアセンスを行わなければならない。そして、帯域が空いている場合のみ、信号を送信することができる。したがって、いつでも９２０MHzを利用することができるわけではない。したがって、ギャップxは、キャリアセンスの結果（即ちチャネルの混み具合）により毎回異なる可能性がある。３０秒間を平均すると、およそ０．３秒に１回の割合でフレームが送信されるように構成されている。この結果、スーパーフレームの所定時間内に１００フレームが送信される。送信できるフレーム数は、チャネルの混雑度合いにより若干変動する。１００回のフレームで送信される信号は、任意であるが、以下においては、全て同一であるものとして説明する。
【０１１６】
このように、同一フレームを繰り返し送信するために、レジスタ２６６は、選択部２６４から供給される、巡回冗長検査符号と同期パタンが付加された送信情報TMを保持する。そして、レジスタ２６６は、保持している巡回冗長検査符号と同期パタンが付加された送信情報TMを、所定回数繰り返し、インタリーブ部２６７に供給する。
【０１１７】
その際、フレームカウンタ２６５は、巡回冗長検査符号と同期パタンが付加された送信情報TMの送信を繰り返した回数、すなわち、レジスタ２６６に保持される、巡回冗長検査符号と同期パタンが付加された送信情報TMが読み出された回数をカウントする。フレームカウンタ２６５は、このようなカウント値をレジスタ２６６に供給する。レジスタ２６６は、そのカウント値により供給回数を把握する。レジスタ２６６は、巡回冗長検査符号と同期パタンが付加された送信情報TMの読み出しを所定回数（例えば、１００回）繰り返すと、その巡回冗長検査符号と同期パタンが付加された送信情報TMを破棄し、次に選択部２６４から供給される新たな巡回冗長検査符号と同期パタンが付加された送信情報TMを取得し、保持する。
【０１１８】
つまり、フレームカウンタ２６５は、スーパーフレーム内で送信されるフレームの最大数（図１０の場合、１００回）まで、巡回冗長検査符号と同期パタンが付加された送信情報TMが読み出された回数をカウントする（例えば、フレームカウンタ２６５は、カウント値０からカウントを開始し、カウント値が９９になるまでカウントする）。そして、カウント値が最大値（例えば９９）に達すると、カウント値が初期値（例えば０）にリセットされる。
【０１１９】
図１１は、送信パケットのフレーム構成（Frame format）の例を示す模式図である。図１１の上から１段目に示されるように、送信パケットは、２オクテットのプリアンブル（Preamble）、１オクテットのSFD（start-of-frame delimiter）、そして１６オクテットのPSDU（PHY Service Data Unit）から構成される。ここでプリアンブルとSFDは固定のデータである。その値は任意である。プリアンブルは、例えば、「００１１１１１１０１０１１００１」というビット列としてもよい。またSFDは、例えば「０００１１１００」というビット列としてもよい。
【０１２０】
図１１の上から２段目に示されるように、１６オクテットのPSDUは、フレームコントロール（FC）、シーケンス番号（SN）、送受信機アドレス（ADR）、ペイロード（PAYLOAD）、およびフレームチェックシーケンス（FCS）により構成されている。
【０１２１】
フレームコントロール（FC）は２オクテットのデジタル情報であり、フレームコントロールに続く情報の構成やビット数などを表す情報である。フレームコントロールは、任意の固定のビット列であり、例えば「００１０００００００１００１１０」というビット列としてもよい。シーケンス番号（SN）は１オクテットのデジタル情報であり、新しいデータが伝送される度にカウントアップされる。このシーケンス番号をチェックすることにより、受信機側では新しいデータであるか否かを判断することができる。送受信機アドレス（ADR）は、４オクテットの情報であり、送信機１０１を識別する送信機アドレス番号（送信機ID）を含む。ペイロード（PAYLOAD）は、４オクテットのデジタル情報であり、送信情報TMがそのままセットされる。つまり、ペイロード（PAYLOAD）は、送信情報生成部２６１により生成される。フレームチェックシーケンス（FCS）は、２オクテットの巡回冗長検査符号であり、通信データに誤りが発生したか否かをチェックするための情報である。このフレームチェックシーケンス（FCS）は、CRC付加部２２により付加される。
【０１２２】
ここで、プリアンブル（Preamble）乃至送受信機アドレス（ADR）までの情報は、同期パタン（SYNC）として、同期信号発生部２６３により生成される。この１３オクテットの同期パタン（SYNC）は、選択部２６４により付加される。
【０１２３】
レジスタ２６６には、このような構成の送信パケットが、巡回冗長検査符号と同期パタンが付加された送信情報TMとして保持される。
【０１２４】
インタリーブ部２６７は、この巡回冗長検査符号と同期パタンが付加された送信情報TMの同期パタンを分解し、図１１の上から４段目に示されるように、その他の部分（UND）の間に分散させる。この分散は、同期パタンが、ほぼ均等にばらまかれるように行われる。
【０１２５】
図１１の例の場合、上から３段目に示されるように、同期パタン（SYNC）が１３オクテットの情報であり、UNDが６オクテットの情報である。インタリーブ部２６７は、１３オクテットの同期パタン（SYNC）を１オクテットずつ分解し、SYNC0乃至SYNC12とし、６オクテットのUNDを１オクテットずつ分解し、UND0乃至UND5とし、これらを図１１の上から４段目に示されるような順（次のような順）に並び替えている。
【０１２６】
SYNC0，SYNC1，UND0、SYNC2、SYNC3，UND1，・・・，UND5，SYNC12
【０１２７】
このように高感度受信機１５２にとって既知の同期パタンを、フレーム全体にばらまいて（分散させて）送信することにより、高感度受信機１５２において、送信キャリアの周波数と初期位相推定を、短いフレーム毎により正確に行うことができるようになる。この結果、短い連続送信時間であっても、高感度受信機１５２がより高感度に受信することができるようになる。
【０１２８】
図１１の上から５段目にその並び替えられた送信情報QDの例を示す。インタリーブ部２６７は、以上のように並び替えられた送信情報QDを、乗算部２６９に供給する。Gold符号発生部２６８は、送信情報QDに付加する疑似乱数列を発生する。この擬似乱数列は、どのようなものであってもよく、そのデータ長も任意である。例えば、Gold符号発生部２６８が、擬似乱数列として、長さ２５６ビットの所定のパタンのビット列を生成するようにしてもよい。例えば、Gold符号発生部２６８が、２つのM系列 (Maximum Sequence)発生器で構成されるようにしてもよい。Gold符号発生部２６８は、発生した疑似乱数列を乗算部２６９に供給する。乗算部２６９は、インタリーブ部２６７から供給される送信情報QDと、Gold符号発生部２６８から供給される擬似乱数列とを乗算することにより擬似乱数列PNを生成する。
【０１２９】
つまり、乗算部２６９は、送信情報QDの各ビットに対して擬似乱数列を割り当て、各送信パケットから、例えば38400ビット（152bit x 256chips）の擬似乱数列PNを生成する。その際、送信情報QDの、値が「０」のビット（QD=0）に対して割り当てられる擬似乱数列と、値が「１」のビット（QD=1）に対して割り当てられる擬似乱数列とは、各ビットの値が互いに反転している。つまり、例えば、乗算部２６９は、送信情報QDの値が「０」のビット（QD=0）に対して擬似乱数列を割り当て、送信情報QDの値が「１」のビット（QD=1）に対して各ビットの値を反転させた擬似乱数列を割り当てる。例えば、乗算部２６９は、図１１の最下段に示されるように、送信情報QDの、値が「１」のビット（QD=1）に対して擬似乱数列「1101000110100......1001」を割り当て、値が「０」のビット（QD=0）に対して擬似乱数列「0010111001011......0110」を割り当てる。
【０１３０】
この擬似乱数列PNにおいて、拡散係数は256であり、チップ間隔Δは５μsである。乗算部２６９は、以上のように生成した擬似乱数列PNを乗算部２５３に供給する。
【０１３１】
キャリア発振部２５２は、所定の周波数（キャリア周波数）で発振し、無線信号の伝送に用いるキャリア信号を生成する。例えば、キャリア発振部２５２は、送信信号を９２０MHz帯で送信するように、９２５MHzで発信する。キャリア発振部２５２は、生成したキャリア信号を乗算部２５３に供給する。乗算部２５３は、乗算部２６９から供給される擬似乱数列PNに応じて、キャリア発振部２５２から供給されるキャリア信号の極性を変調する。例えば、乗算部２５３は、BPSK変調を行う。例えば、擬似乱数列PNが「１」の場合、キャリアの位相がπとなるように変調され、擬似乱数列PNが「０」の場合、キャリアの位相が−π（極性反転）となるように変調される。乗算部２５３は、その変調結果を変調信号CMとしてバンドパスフィルタ（BPF）２５４に供給する。BPF２５４は、乗算部２５３から供給される変調信号CMの帯域をキャリア周波数の帯域に制限する。BPF２５４は、このように帯域制限された変調信号CMを送信信号TXとして増幅部２５５に供給する。増幅部２５５は、所定の送信タイミングにおいて、BPF２５４から供給された送信信号TXを増幅し、増幅した送信信号TXを、無線信号として、アンテナ２５６を介して送信する。
【０１３２】
＜高感度受信機＞
図１２は、このような送信機１０１から送信された無線信号を受信する高感度受信機１５２の主な構成例を示す図である。
【０１３３】
図１２に示されるように、高感度受信機１５２は、信号受信部３０１と受信情報処理部３０２とを有する。また、信号受信部３０１と受信情報処理部３０２とは、バス３０３を介して互いに接続されている。
【０１３４】
信号受信部３０１は、送信機１０１から送信された信号を受信する。信号受信部３０１は、アンテナ１５２Ａの他に、SAW（Surface Acoustic Wave（弾性表面波））フィルタ３１１、LNA３１２、発振部３１３、分周部３１４、IQジェネレータ３１５、乗算部３１６、LPF３１７、AAF（Anti-Aliasing Filter）３１８、ADC（Analog Digital Converter）３１９、乗算部３２０、LPF３２１、AAF３２２、およびADC３２３を有する。
【０１３５】
SAWフィルタ３１１は、物質の表面を伝搬する弾性表面波の特性を応用し、圧電体の薄膜若しくは基板上に形成された規則性のあるくし型電極（IDT（Interdigital Transducer））により、特定の周波数帯域の電気信号を取り出すフィルタである。そのくし型電極の構造周期と圧電体や電極の物性により、中心周波数や帯域を決めることができる。SAWフィルタ３１１は、アンテナ１５２Ａにより受信された無線信号である受信信号から所望の周波数帯の信号成分を抽出する。SAWフィルタ３１１は、その抽出した信号成分（すなわち、受信信号）をLNA３１２に供給する。LNA３１２は、供給された受信信号を増幅し、乗算部３１６および乗算部３２０に供給する。
【０１３６】
発振部３１３は、所定の周波数で発信し、その周波数の信号を分周部３１４に供給する。分周部３１４は、発振部３１３から供給される信号を分周することにより、キャリア周波数の信号を生成する。例えば、例えば９２０MHz帯で送られた信号を受信する場合、発振部３１３および分周部３１４は、周波数９２５MHzの信号を生成する。分周部３１４は、その信号をIQジェネレータ３１５に供給する。IQジェネレータ３１５は、分周部３１４から供給される信号を用いて、ＩとＱのそれぞれに対するキャリア信号を生成する。すなわち、IQジェネレータ３１５は、信号の位相を制御し、互いに９０度位相がずれた２つのキャリア信号を生成する。IQジェネレータ３１５は、生成したＩ用のキャリア信号を乗算部３１６に供給し、Ｑ用のキャリア信号を乗算部３２０に供給する。
【０１３７】
乗算部３１６は、LNA３１２から供給される受信信号と、IQジェネレータ３１５から供給されるキャリア信号とを乗算し、ベースバンドのInPhase信号（Ｉ信号）を生成する。乗算部３１６は、そのＩ信号をLPF３１７に供給する。LPF３１７は、供給されたＩ信号に対して、所定の周波数よりも低周波成分を通過させ、その所定の周波数よりも高周波成分を除去するフィルタ処理を行う。LPF３１７は、そのフィルタ処理結果のI信号をAAF３１８に供給する。AAF３１８は、供給されたＩ信号に対して、エイリアシング（折り返し誤差）を抑制するようにフィルタ処理を行う。例えば、AAF３１８は、供給されたＩ信号に対して、所定の周波数よりも低周波成分を通過させるようにローパスフィルタ処理を行う。AAF３１８は、そのフィルタ処理結果のI信号をADC３１９に供給する。ADC３１９は、供給されたＩ信号をA/D変換し、アナログ信号からデジタル信号に変換する。ADC３１９は、デジタル信号のI信号を、バス３０３を介して受信情報処理部３０２（例えば、復調部３３３等）に供給する。
【０１３８】
乗算部３２０は、LNA３１２から供給される受信信号と、IQジェネレータ３１５から供給されるキャリア信号とを乗算し、ベースバンドのQuadrature信号（Ｑ信号）を生成する。乗算部３２０は、そのＱ信号をLPF３２１に供給する。LPF３２１は、供給されたＱ信号に対して、所定の周波数よりも低周波成分を通過させ、その所定の周波数よりも高周波成分を除去するフィルタ処理を行う。LPF３２１は、そのフィルタ処理結果のＱ信号をAAF３２２に供給する。AAF３２２は、供給されたＱ信号に対して、エイリアシングを抑制するようにフィルタ処理を行う。例えば、AAF３２２は、供給されたＱ信号に対して、所定の周波数よりも低周波成分を通過させるようにローパスフィルタ処理を行う。AAF３２２は、そのフィルタ処理結果のＱ信号をADC３２３に供給する。ADC３２３は、供給されたＱ信号をA/D変換し、アナログ信号からデジタル信号に変換する。ADC３２３は、デジタル信号のＱ信号を、バス３０３を介して受信情報処理部３０２（例えば、復調部３３３等）に供給する。
【０１３９】
受信情報処理部３０２は、送信機１０１から送信された情報（受信情報）に対する情報処理に関する処理を行う。受信情報処理部３０２は、バス３３０、制御部３３１、メモリ３３２、復調部３３３、GNSS信号受信部３３４、情報処理部３３５、通信部３３６、および電源部３３７を有する。
【０１４０】
制御部３３１乃至電源部３３７の各処理部は、バス３３０を介して互いに接続されており、情報の授受を行うことができる。また、このバス３３０には、バス３０３も接続されており、制御部３３１乃至電源部３３７の各処理部は、例えば、発振部３１３、ADC３１９、およびADC３２３等の信号受信部３０１の処理部とも情報の授受を行うことができる。
【０１４１】
制御部３３１は、メモリ３３２乃至電源部３３７の各処理部を制御し、受信情報に対する情報処理のための制御に関する処理を行う。メモリ３３２は、例えば、RAM、SSD、フラッシュメモリ等の半導体メモリや、ハードディスク等の磁気記録媒体等の、書き込み（書き換え）可能な任意の記録媒体（記憶媒体）を有する。メモリ３３２は、その記録媒体（記憶媒体）により、例えば、制御部３３１、並びに、復調部３３３乃至電源部３３７のいずれかから供給される各種情報を記憶する。また、メモリ３３２は、自身が記憶している情報を、例えば、制御部３３１、並びに、復調部３３３乃至電源部３３７等に供給することもできる。また、メモリ３３２は、信号受信部３０１からバス３０３を介して供給される情報を記憶することもできるし、記憶している情報を、バス３０３を介して信号受信部３０１に供給することもできる。
【０１４２】
復調部３３３は、例えば制御部３３１の制御に基づいて、信号受信部３０１において受信される受信信号のＩ信号のデジタルデータやＱ信号のデジタルデータの復調に関する処理を行う。
【０１４３】
GNSS信号受信部３３４は、例えば制御部３３１の制御に基づいて、アンテナ１５２Ｂを用いてGNSS衛星１６１から送信されるGNSS信号の受信に関する処理を行う。例えば、GNSS信号受信部３３４が、その受信したGNSS信号を用いて、高感度受信機１５２（中継局１０２）の位置情報を生成するようにしてもよい。
【０１４４】
情報処理部３３５は、例えば制御部３３１の制御に基づいて、復調部３３３において復調されて得られた情報（受信情報）に対する情報処理に関する処理を行う。この情報処理の内容は任意である。
【０１４５】
通信部３３６は、例えば制御部３３１の制御に基づいて、他の装置との通信に関する処理を行う。例えば、通信部３３６は、情報処理部３３５等において処理されて得られた送信機１０１の位置情報等の受信情報を、メモリ１５３に供給して記憶させることができる。また、例えば、通信部３３６は、GNSS信号受信部３３４において生成された高感度受信機１５２の位置情報（若しくはGNSS信号や時刻情報等）を、メモリ１５３に供給して記憶させることができる。例えば、通信部３３６は、受信情報と高感度受信機１５２の位置情報とを関連付けてメモリ１５３に供給して記憶させることができる。また、例えば、通信部３３６は、電源制御装置１５１に対して通知を行うこともできる。もちろん、通信部３３６が行う通信の内容および通信相手は任意であり、上述した例以外の通信を行うことができるようにしてもよい。
【０１４６】
電源部３３７は、例えば制御部３３１の制御に基づいて、電源制御装置１５１から供給される電力に関する処理を行う。例えば、電源部３３７は、電源制御装置１５１から供給される電力を各処理部に適宜供給し、駆動させる。例えば、電源部３３７は、駆動させる処理部にのみ電力を供給することができる。これにより、高感度受信機１５２の消費電力の増大を抑制することができる。
【０１４７】
信号受信部３０１が送信機１０１から送信された無線信号を受信することにより、その無線信号は、例えば、図１３に示されるような波形として検出される。復調部３３３は、このような波形からピーク位置等に基づいて、フレームデータを抽出し、周波数や初期位相等の補正を行う。図１４の上段は、フレーム中での位相変化の例を示している。図１４においては、フレーム５（Frame5）乃至フレーム８（Frame8）を抽出して表示しているが、それぞれ微妙に位相と周波数が変化している。復調部３３３は、このように揺らいでいる位相に対して、図１４の下段に示されるように、位相変化を最もよく近似する直線を求め、相関値β２（ｎ）を求める。図１４の下段において、それぞれの直線の傾きがγ（ｎ）に相当し、初期位相がθ（ｎ）に相当している。また相関値β２（ｎ）は、位相揺らぎと近似直線との相関に応じて変化している。復調部３３３は、このような相関値β２（ｎ）を重み係数として用いてフレームデータの加算を行う。
【０１４８】
以上のようにして復号した結果のコンスタレーションを図１５に示す。図１５に示されるように、BPSK変調として、２つの点が分離されていることから、この場合、正しくデータが復号されている。復調部３３３は、これをBPSK復調して受信情報を得る。
【０１４９】
以上に説明したように、送信機１０１は、最大連続送信時間短く設定することができ、例えば９２０MHz帯で0.2秒と設定することにより、沢山の周波数チャネルから選択して送信することができるので、混信に対してより強い送受信システムを構築することができる。また、短い時間のフレームを多数積算することにより、電波法に定められた最大送信時間の制限を超えずに、実効的なSNRを向上させることができる。このとき、同期信号がフレーム全体に分散されているので、フレーム中に位相揺らぎがあった場合においても、より適切に位相と周波数の補正を行うことができる。これらの結果、例えば、ノイズに埋もれてしまい従来の方法では復号することが困難な程微弱な受信信号であっても、高感度受信機１５２は、より正確に受信情報を得ることができる。つまり、送信機１０１が送信した無線信号をより高感度に受信することができ、送信機１０１との通信可能範囲をより広くすることができる。
【０１５０】
＜LTEモデム＞
中継局１０２は、図９乃至図１５を参照して説明したような無線信号の送受信により、送信機１０１から高感度受信機１５２に伝送された情報（受信情報）を、LTEモデム１５４を用いてサーバ１０４に供給する。図１６は、LTEモデム１５４の主な構成例を示すブロック図である。
【０１５１】
図１６に示されるように、LTEモデム１５４は、制御部３５１、メモリ３５２、通信部３５３、電源部３５４、およびLTE通信部３５５を有する。制御部３５１乃至LTE通信部３５５の各処理部は、バス３５０を介して互いに接続されている。すなわち、各処理部間で情報を授受したり、制御し合ったりすることができる。
【０１５２】
制御部３５１は、LTEモデム１５４の各処理部の制御に関する処理を行う。メモリ３５２は、例えば、RAM、SSD、フラッシュメモリ等の半導体メモリや、ハードディスク等の磁気記録媒体等の、書き込み（書き換え）可能な任意の記録媒体（記憶媒体）を有する。メモリ３５２は、その記録媒体（記憶媒体）により、例えば、制御部３５１、並びに、通信部３５３乃至LTE通信部３５５のいずれかから供給される各種情報を記憶する。また、メモリ３５２は、自身が記憶している情報を、例えば、制御部３５１、並びに、通信部３５３乃至LTE通信部３５５等に供給することもできる。例えば、メモリ３５２は、通信部３５３により取得された、メモリ１５３から読み出された情報（例えば、送信機１０１の位置情報やID、または、高感度受信機１５２の位置情報やID等）を記憶することができる。
【０１５３】
通信部３５３は、例えば制御部３５１の制御に基づいて、他の装置との通信に関する処理を行う。例えば、通信部３５３は、メモリ１５３から情報を読み出すことができる。また、例えば、通信部３５３は、電源制御装置１５１に通知を行うこともできる。もちろん、通信部３５３が行う通信の内容および通信相手は任意であり、上述した例以外の通信を行うことができるようにしてもよい。
【０１５４】
電源部３５４は、例えば制御部３５１の制御に基づいて、電源制御装置１５１から供給される電力に関する処理を行う。例えば、電源部３５４は、電源制御装置１５１から供給される電力を各処理部に適宜供給し、駆動させる。例えば、電源部３５４は、駆動させる処理部にのみ電力を供給することができる。これにより、LTEモデム１５４の消費電力の増大を抑制することができる。
【０１５５】
LTE通信部３５５は、例えば制御部３５１の制御に基づいて、LTE通信の基地局等と通信を行い、ネットワーク１０３に接続し、そのネットワーク１０３を介してサーバ１０４と通信を行う。例えば、LTE通信部３５５は、メモリ３５２に記憶されている情報（例えば、送信機１０１の位置情報やID、または、高感度受信機１５２の位置情報やID等）を読み出し、サーバ１０４に供給することができる。また、LTE通信部３５５は、例えば、サーバ１０４から命令やデータ等、任意の情報を取得することもできる。
【０１５６】
＜制御処理の流れ＞
以上のような構成の位置通知システム１００の中継局１０２において実行される制御処理の流れの例を、図１７および図１８のフローチャートを参照して説明する。中継局１０２は、図１７および図１８のフローチャートに示されるように制御処理を行うことにより、電源制御装置１５１を用いて、高感度受信機１５２およびLTEモデム１５４に対する電力供給の制御を行う。
【０１５７】
例えば、電源制御装置１５１は、図１７に示されるフローチャートのように、高感度受信機１５２を駆動させる場合（高感度受信機１５２に無線信号を受信させる場合）のみ、高感度受信機１５２に対して電力を供給する。
【０１５８】
すなわち、高感度受信機１５２に送信機１０１からの無線信号を受信させる場合、電源制御装置１５１の制御部２１１は、図１７のステップＳ１０１において、接続部２１２を制御して高感度受信機１５２への電力の供給を開始させ、高感度受信機１５２の電源をオン（ON）にする。電力の供給が開始されると、高感度受信機１５２の電源部３３７は、ステップＳ１１１において、その電力を駆動させる処理部に対して供給し、それらの駆動を開始させる。
【０１５９】
そして、ステップＳ１１２において、高感度受信機１５２の信号受信部３０１は、送信機１０１から送信される無線信号を受信する。無線信号を受信すると、高感度受信機１５２の復調部３３３や情報処理部３３５は、ステップＳ１１３において、受信した信号を復調したり、信号処理したりして、送信機１０１の位置情報やID等の情報を信号から抽出し、取得する。復調部３３３や情報処理部３３５は、取得したその情報を、例えば、メモリ３３２に記憶させる。ステップＳ１１４において、高感度受信機１５２の通信部３３６は、そのメモリ３３２に記憶されている情報（受信情報）を読み出してメモリ１５３に供給し、記憶させる。ステップＳ１２１において、メモリ１５３は、供給された受信情報を記憶する。ステップＳ１１４の処理が終了すると、通信部３３６は、ステップＳ１１５において、受信情報をメモリ１５３に格納した旨を、電源制御装置１５１に通知する。
【０１６０】
ステップＳ１０２において、電源制御装置１５１の制御部２１１は、その通知を取得する。通知を取得すると、電源制御装置１５１の制御部２１１は、ステップＳ１０３において、接続部２１２を制御して高感度受信機１５２への電力の供給を終了させ、高感度受信機１５２の電源をオフ（OFF）にする。電力の供給が終了すると、高感度受信機１５２の電源部３３７は、ステップＳ１１６において、各処理部への電力の供給も終了し、それらの駆動も終了させる。
【０１６１】
また、LTEモデム１５４に、送信機１０１から得た情報をサーバ１０４に供給させる場合、電源制御装置１５１の制御部２１１は、ステップＳ１４１において、接続部２１２を制御してLTEモデム１５４への電力の供給を開始させ、LTEモデム１５４の電源をオン（ON）にする。電力の供給が開始されると、LTEモデム１５４の電源部３５４は、ステップＳ１７１において、その電力を駆動させる処理部に対して供給し、それらの駆動を開始させる。
【０１６２】
そして、ステップＳ１７２において、LTEモデム１５４の通信部３５３は、メモリ１５３から、所望の情報（送信機１０１の位置情報等）を読み出す。メモリ１５３は、ステップＳ１６１において、要求されたその情報をLTEモデム１５４に供給する。情報を取得すると、LTEモデム１５４のLTE通信部３５５は、ステップＳ１７３において、その情報を、サーバ１０４に供給する。
【０１６３】
ステップＳ１７３の処理が終了すると、通信部３５３は、ステップＳ１７４において、情報をサーバ１０４に送信した旨を、電源制御装置１５１に通知する。
【０１６４】
ステップＳ１４２において、電源制御装置１５１の制御部２１１は、その通知を取得する。通知を取得すると、電源制御装置１５１の制御部２１１は、ステップＳ１４３において、接続部２１２を制御してLTEモデム１５４への電力の供給を終了させ、LTEモデム１５４の電源をオフ（OFF）にする。電力の供給が終了すると、LTEモデム１５４の電源部３５４は、ステップＳ１７５において、各処理部への電力の供給も終了し、それらの駆動も終了させる。
【０１６５】
以上のように制御処理が行われることにより、中継局１０２は、高感度受信機１５２やLTEモデム１５４に対する不要な電力の供給を抑制し、それらの消費電力の増大を抑制することができる。また、高感度受信機１５２とLTEモデム１５４とを互いに異なるタイミングにおいて駆動させることができ、消費電力のピーク（最大値）の増大を抑制することができる。
【０１６６】
＜電源供給制御処理の流れ＞
この場合の電源制御装置１５１が実行する電源供給制御処理の流れの例を、図１９のフローチャートを参照して説明する。
【０１６７】
電源制御装置１５１の制御部２１１は、送信機１０１から送信される情報を中継局１０２に中継させる場合、この電源供給制御処理を実行する。
【０１６８】
電源供給制御処理が開始されると、制御部２１１は、ステップＳ１８１において、接続部２１２を制御して高感度受信機１５２への電力の供給を開始させることにより、高感度受信機１５２の電源をオン（ON）にし、高感度受信機１５２に無線信号の受信を開始させる。この処理は、図１７のステップＳ１０１に対応する。
【０１６９】
ステップＳ１８２において、制御部２１１は、高感度受信機１５２において送信機１０１から送信された無線信号が受信され、その無線信号の復調が完了し、送信機１０１の情報（位置情報等）がメモリ１５３に書き込まれたか否かを判定し、書き込まれたと判定するまで待機する。つまり、制御部２１１は、高感度受信機１５２からその旨の通知を受けるまで待機する。高感度受信機１５２からその旨の通知を受けたと判定すると（図１７のステップＳ１０２の処理が行われると）、制御部２１１は、処理をステップＳ１８３に進める。
【０１７０】
ステップＳ１８３において、制御部２１１は、接続部２１２を制御して高感度受信機１５２への電力の供給を終了させることにより、高感度受信機１５２の電源をオフ（OFF）にし、高感度受信機１５２の駆動を終了させる。この処理は、図１７のステップＳ１０３に対応する。
【０１７１】
ステップＳ１８４において、制御部２１１は、接続部２１２を制御してLTEモデム１５４への電力の供給を開始させることにより、LTEモデム１５４の電源をオン（ON）にし、LTEモデム１５４に、メモリ１５３から送信機１０１の情報を読み出させ、さらにその情報をサーバ１０４に供給させる。この処理は、図１８のステップＳ１４１に対応する。
【０１７２】
ステップＳ１８５において、制御部２１１は、LTEモデム１５４がメモリから送信機１０１の情報を読み出し、さらにその情報をサーバ１０４に供給したか否かを判定し、供給したと判定するまで待機する。つまり、制御部２１１は、LTEモデム１５４からその旨の通知を受けるまで待機する。LTEモデム１５４からその旨の通知を受けたと判定すると（図１８のステップＳ１４２の処理が行われると）、制御部２１１は、処理をステップＳ１８６に進める。
【０１７３】
ステップＳ１８６において、制御部２１１は、接続部２１２を制御してLTEモデム１５４への電力の供給を終了させることにより、LTEモデム１５４の電源をオフ（OFF）にし、LTEモデム１５４の駆動を終了させる。この処理は、図１８のステップＳ１４３に対応する。
【０１７４】
ステップＳ１８６の処理が終了すると、電源供給制御処理が終了する。以上のように電源供給制御処理を実行することにより、電源制御装置１５１は、高感度受信機１５２やLTEモデム１５４に対する不要な電力の供給を抑制し、それらの消費電力の増大を抑制することができる。また、高感度受信機１５２とLTEモデム１５４とを互いに異なるタイミングにおいて駆動させることができ、消費電力のピーク（最大値）の増大を抑制することができる。
【０１７５】
＜その他＞
以上においては、中継局１０２がLTEモデム１５４を有し、送信機１０１から受信した情報を、屋根上からLTE通信によりサーバ１０４に供給するように説明したが、中継局１０２の構成は、この例に限定されない。例えば、高感度受信機１５２が取得した送信機１０１の情報は、建物１３０の屋内から、ルータ（モデム機能付ルータ）を介して有線通信によりサーバ１０４に供給するようにしてもよい。
【０１７６】
その場合の、中継局１０２等の主な構成例を、図２０に示す。図２０に示される例の場合、中継局１０２は、電源制御装置１５１および高感度受信機１５２を有するものの、メモリ１５３やLTEモデム１５４を有していない。その代わり、建物１３０の屋内に、メモリ１５３やルータ３６１が設置されている。
【０１７７】
ルータ３６１は、所謂モデム機能付のルータであり、建物１３０内の設備により構築されるLANとネットワーク１０３とを接続する。すなわち、ルータ３６１は、ネットワーク１０３を介してサーバ１０４と通信を行うことができる。また、ルータ３６１は、メモリ１５３等と通信を行うこともできる。
【０１７８】
また、屋根上設備１３１においては、電源ケーブル１４８は、混合器３６３を介して電源制御装置１５１に接続されている。電力の供給に関しては、図３の例の場合と同様である。ただし、高感度受信機１５２は、送信機１０１から送信された無線信号を受信して取得した送信機１０１に関する情報（例えば、送信機１０１の位置情報やID等）は、メモリ１５３に供給して記憶させる代わりに、信号ケーブル３６２を介して混合器３６３に供給され、その混合器３６３において、電力に重畳される。この送信機１０１に関する情報は、混合器１４３に供給され、さらに、アンテナケーブル１４６を介して屋内のメモリ１５３に供給される。
【０１７９】
メモリ１５３は、その情報を記憶する。ルータ３６１は、メモリ１５３に記憶されている送信機１０１に関する情報を読み出して、ネットワーク１０３を介してサーバ１０４に供給する。なお、高感度受信機１５２に関する情報（高感度受信機１５２の位置情報やID等）も、同様にメモリ１５３を介してルータ３６１に供給し、ネットワーク１０３を介してサーバ１０４に供給させるようにしてもよい。
【０１８０】
この場合、メモリ１５３やルータ３６１は、屋内のコンセント等から家庭用電源を得て駆動することができる。したがって、電源制御装置１５１は、高感度受信機１５２に対する電力の供給のみを制御すれば良い。その制御方法は図３の場合と同様であり、各処理部が、図１７乃至図１９のフローチャートを参照して説明した場合と同様に、高感度受信機１５２に関する各処理を実行するようにすれば良い。
【０１８１】
＜２．第２の実施の形態＞
＜バッテリ＞
なお、電源制御装置１５１が、電力を充電する蓄電部（所謂バッテリ）を有するようにしてもよい。図２１は、その場合の電源制御装置１５１の主な構成例を示すブロック図である。図２１に示されるように、この場合の電源制御装置１５１は、図７を参照して説明した構成に加え、接続部３７１および蓄電部３７２を有する。この場合、制御部２１１は、接続部２１２だけでなく、接続部３７１および蓄電部３７２も制御する。
【０１８２】
接続部３７１は、電源端子２０１と蓄電部３７２との間を接続したり切断したりする。つまり、接続部３７１は、蓄電部３７２への蓄電を制御することができる。接続部３７１の構成は任意であるが、例えば、１入力１出力のスイッチ（例えば、スイッチ２３０やスイッチ２４０と同様の構成のスイッチ）により構成することができる。
【０１８３】
蓄電部３７２は、例えばリチウムイオン等のバッテリ等により構成され、接続部３７１により電源端子２０１と接続された状態において、混合器１４３を介して供給される電力を充電することができる。
【０１８４】
また、この場合、接続部２１２は、蓄電部３７２からの出力先を何処にするか（例えば、出力先を電源端子２０２にするか、電源端子２０３にするか、若しくは、両方とも出力先としないか）を制御する。この制御方法は、電源端子２０１の接続先を制御する図７の例の場合と同様である。
【０１８５】
つまり、この場合、一旦蓄電部３７２に電力を充電し、その蓄電部３７２に充電された電力を用いて高感度受信機１５２やLTEモデム１５４を駆動させる。したがって、高感度受信機１５２やLTEモデム１５４を駆動する際の、既存の設備に対する負荷（電力利用の影響）の増大を抑制することができる。例えば、高感度受信機１５２やLTEモデム１５４の電力を、蓄電部３７２に充電された電力で賄うことができる場合、既存の設備の電力を使用せずに（例えば衛星アンテナ１４２への電力供給等に対して大きな影響を与えることなく）、高感度受信機１５２やLTEモデム１５４を駆動させることができる。さらに、例えば、蓄電部３７２の充電残量（蓄電量）が十分でない場合、高感度受信機１５２やLTEモデム１５４を駆動させないようにすることもできる。これにより、既存の設備に対する負荷の増大を抑制することができる。
【０１８６】
また、例えば、蓄電部３７２に蓄電する際の電力を小さくし、より長時間かけて充電するようにすることにより、中継局１０２の消費電力のピークを抑制することができる。さらに、接続部３７１により蓄電部３７２への充電も制御することができるので、例えば、夜間等、高感度受信機１５２やLTEモデム１５４の稼働率が低い時間帯に、充電を行わせるようにすることができる。これにより、中継局１０２の消費電力のピークを抑制することができる。また、例えば、夜間等、既存の設備の稼働率が低い時間帯に、充電を行わせるようにすることができる。これにより、既存の設備に対する負荷の増大を抑制することができる。
【０１８７】
＜制御処理の流れ＞
この場合の中継局１０２において実行される充電に関する制御処理の流れの例を、図２２のフローチャートを参照して説明する。
【０１８８】
電源制御装置１５１の制御部２１１は、ステップＳ２０１において、接続部２１２を制御して高感度受信機１５２への電力の供給を開始させ、高感度受信機１５２の電源をオン（ON）にする。電力の供給が開始されると、高感度受信機１５２の電源部３３７は、ステップＳ２１１において、その電力を駆動させる処理部に対して供給し、それらの駆動を開始させる。
【０１８９】
そして、ステップＳ２１２において、高感度受信機１５２のGNSS信号受信部３３４は、GNSS衛星からGNSS信号を受信する。GNSS信号を受信すると、高感度受信機１５２の復調部３３３や情報処理部３３５は、ステップＳ２１３において、その受信したGNSS信号を復調したり、信号処理したりして、そのGNSS信号から時刻情報を抽出し、取得する。復調部３３３や情報処理部３３５は、取得したその時刻情報を、例えば、メモリ３３２に記憶させる。ステップＳ２１４において、高感度受信機１５２の通信部３３６は、そのメモリ３３２に記憶されている時刻情報を読み出して電源制御装置１５１に供給する。
【０１９０】
ステップＳ２０２において、電源制御装置１５１の制御部２１１は、その時刻情報を取得する。制御部２１１は、その時刻情報に基づいて、現在時刻が予め設定された指定時間帯であるか否かを判定する。また、制御部２１１は、蓄電部３７２の充電状態（例えば電圧）を計測し、十分に充電されている状態である満充電状態であるか否かを判定する。
【０１９１】
ステップＳ２０３において、制御部２１１は、現在時刻が予め設定された指定時間帯であり、かつ、蓄電部３７２からの出力電圧が所定の閾値より低く、蓄電部３７２が満充電状態で無い場合、接続部３７１を制御して、電源端子２０１を蓄電部３７２に接続させ、蓄電部３７２への充電を開始する。
【０１９２】
ステップＳ２０４において、蓄電部３７２が満充電状態になるか、または、指定時間帯を過ぎた場合、制御部２１１は、接続部３７１を制御して、電源端子２０１と蓄電部３７２との間を切断し、蓄電部３７２への充電を終了する。
【０１９３】
ステップＳ２０４の処理が終了すると、制御処理が終了する。このように蓄電部３７２への充電を制御することにより、例えば、満充電状態の蓄電部３７２に対する給電等、不要な消費電力の増大を抑制することができる。また、中継局１０２の消費電力のピークを抑制することができる。また、既存の設備に対する負荷の増大を抑制することができる。
【０１９４】
なお、蓄電部３７２の放電、すなわち、高感度受信機１５２やLTEモデム１５４に対する電力供給に関する制御処理は、蓄電部３７２に充電された電力を利用すること以外は、図１７および図１８のフローチャートを説明した場合と基本的に同様であるので、その説明は省略する。
【０１９５】
＜充電制御処理の流れ＞
この場合の電源制御装置１５１が実行する充電制御処理の流れの例を、図２３のフローチャートを参照して説明する。
【０１９６】
充電制御処理が開始されると、制御部２１１は、ステップＳ２２１において、蓄電部３７２の出力電圧を確認する等して、蓄電部３７２が満充電状態であるか否かを判定する。満充電状態でないと判定された場合、処理はステップＳ２２２に進む。
【０１９７】
ステップＳ２２２において、制御部２１１は、接続部２１２を制御して、高感度受信機１５２への電力の供給を開始させることにより、高感度受信機１５２の電源をオン（ON）にし、高感度受信機１５２にGNSS信号を受信させる。この処理は、図２２のステップＳ２０１に対応する。
【０１９８】
ステップＳ２２３において、制御部２１１は、高感度受信機１５２においてGNSS信号が受信されて時刻情報が抽出され、その高感度受信機１５２からその時刻情報が供給されたか否かを判定し、供給されたと判定するまで待機する。高感度受信機１５２から時刻情報を取得したと判定すると（図２２のステップＳ２０２の処理が行われると）、制御部２１１は、処理をステップＳ２２４に進める。
【０１９９】
ステップＳ２２４において、制御部２１１は、取得した時刻情報に基づいて、現在時刻が指定時間帯であるか否かを判定する。指定時間帯であると判定された場合、処理はステップＳ２２５に進む。
【０２００】
つまり、蓄電部３７２が満充電状態でなく、かつ、現在時刻が指定時間帯（例えば夜間等）であると判定された場合、制御部２１１は、ステップＳ２２５において、接続部３７１を制御して、蓄電部３７２を電源端子２０１に接続し、蓄電部３７２に電力を充電させる。この処理は、図２２のステップＳ２０３に対応する。
【０２０１】
ステップＳ２２６において、制御部２１１は、蓄電部３７２の出力電圧を確認する等して、蓄電部３７２が満充電状態であるか否かを判定する。満充電状態でないと判定された場合、処理はステップＳ２２７に進む。ステップＳ２２７において、制御部２１１は、取得した時刻情報に基づいて、現在時刻が指定時間帯であるか否かを判定する。指定時間帯であると判定された場合、処理はステップＳ２２５に戻り、それ以降の処理を繰り返す。すなわち、蓄電部３７２が満充電状態でなく、かつ、現在時刻が指定時間帯である間は、充電が行われる。
【０２０２】
ステップＳ２２７において、現在時刻が指定時間帯でないと判定された場合、制御部２１１は、接続部３７１を制御して電源端子２０１と蓄電部３７２との間を切断し、充電を終了させる。この処理は、図２２のステップＳ２０４に対応する。充電が終了すると、充電制御処理が終了する。
【０２０３】
また、ステップＳ２２１において、蓄電部３７２が満充電状態であると判定された場合、充電が省略され、充電制御処理が終了する。また、ステップＳ２２４において、現在時刻が指定時間帯でないと判定された場合も、充電が省略され、充電制御処理が終了する。
【０２０４】
さらに、ステップＳ２２６において、蓄電部３７２が満充電状態であると判定された場合、接続部３７１を制御して電源端子２０１と蓄電部３７２との間を切断し、充電を終了させる。この処理は、図２２のステップＳ２０４に対応する。充電が終了すると、充電制御処理が終了する。
【０２０５】
以上のように充電制御処理を実行することにより、電源制御装置１５１は、例えば、満充電状態の蓄電部３７２に対する給電等、不要な消費電力の増大を抑制することができる。また、中継局１０２の消費電力のピークを抑制することができる。また、既存の設備に対する負荷の増大を抑制することができる。
【０２０６】
＜電源供給制御処理の流れ＞
また、この場合の電源供給制御処理の流れの例を、図２４のフローチャートを参照して説明する。
【０２０７】
電源制御装置１５１の制御部２１１は、送信機１０１から送信される情報を中継局１０２に中継させる場合、この電源供給制御処理を実行する。
【０２０８】
電源供給制御処理が開始されると、制御部２１１は、ステップＳ２４１において、蓄電部３７２の出力電圧を確認する等して、蓄電部３７２の充電残量（蓄電量）が、高感度受信機１５２やLTEモデム１５４を駆動させるのに十分であるか否かを判定する。この十分か否かの基準は、蓄電部３７２の充電容量や、高感度受信機１５２やLTEモデム１５４の消費電力等に応じて設定される。満充電状態よりも少なくてもよい。
【０２０９】
蓄電部３７２の充電残量が十分であると判定された場合、処理はステップＳ２４２に進む。ステップＳ２４２乃至ステップＳ２４７の各処理は、図１９のステップＳ１８１乃至ステップＳ１８６の各処理と同様に実行される。
【０２１０】
また、ステップＳ２４１において、蓄電部３７２の充電残量が十分でないと判定された場合、電源供給制御処理が終了する。
【０２１１】
つまり、充電残量が十分である場合のみ、その蓄電部３７２の電力を用いて、第１の実施の形態の場合と同様に高感度受信機１５２やLTEモデム１５４が駆動される。このようにすることにより、既存の設備の電力を使用せずに（例えば衛星アンテナ１４２への電力供給等に対して大きな影響を与えることなく）、高感度受信機１５２やLTEモデム１５４を駆動させることができる。つまり、既存の設備に対する負荷の増大を抑制することができる。
【０２１２】
＜３．第３の実施の形態＞
＜中継局＞
なお、中継局１０２から送信機１０１に対して無線信号を送信することができるようにしてもよい。その場合の中継局１０２の主な構成例を図２５に示す。図２５に示されるように、この場合、中継局１０２は、高感度受信機１５２の代わりに、高感度送受信機３８１を有する。高感度送受信機３８１は、送信機能を有すること以外は、高感度受信機１５２と同様の装置である。つまり、高感度送受信機３８１は、アンテナ３８１Ａを用いて送信機１０１から送信される無線信号を受信することができる。また、高感度送受信機３８１は、そのアンテナ３８１Ａを用いて送信機１０１に対して無線信号を送信することもできる。また、高感度送受信機３８１は、アンテナ３８１Ｂを用いてGNSS衛星１６１からGNSS信号を受信することもできる。
【０２１３】
なお、この場合、送信機１０１も、高感度送受信機３８１から送信される無線信号を受信する受信機能を有する。したがって、厳密には送受信機であるが、ここでは送信機１０１として説明する。この場合、送信機１０１は、図９を参照して説明した構成に加え、図１２を参照して説明した高感度受信機１５２の構成を有するようにすればよい。
【０２１４】
高感度送受信機３８１が送信機１０１に送信する無線信号に含まれる情報の内容は任意である。例えば、高感度送受信機３８１が送信機１０１に無線信号を送信することにより、送信機１０１に対して位置情報の送信を要求することができるようにしてもよい。また、例えば、高感度送受信機３８１が送信機１０１に無線信号を送信することにより、送信機１０１が無線信号を送信するタイミングを指定することができるようにしてもよい。これらのようにすることにより、高感度送受信機３８１を駆動させているタイミングにおいて、送信機１０１に無線信号を送信させることができるので、高感度送受信機３８１による無線信号の受信をより容易に行うことができる。
【０２１５】
高感度送受信機３８１は、高感度受信機１５２の場合と同様に、任意の情報をメモリ１５３に供給して記憶させることができる。そして、LTEモデム１５４も、その情報をメモリ１５３から読み出して、サーバ１０４に供給することができる。
【０２１６】
電源制御装置１５１による電力供給の制御方法は、基本的に上述した他の実施の形態の場合と同様であるが、この場合、高感度送受信機３８１が無線信号を送信する場合も、電源制御装置１５１から高感度送受信機３８１に対して電力の供給が行われる。
【０２１７】
＜高感度送受信機＞
高感度送受信機３８１の主な構成例を図２６に示す。図２６に示されるように、高感度送受信機３８１は、信号送受信部３９１、受信情報処理部３０２、およびバス３０３を有する。
【０２１８】
信号送受信部３９１は、無線信号の送受信に関する処理を行う。信号送受信部３９１は、アンテナ３８１Ａ、切替部３９２、信号受信部３０１、および信号送信部３９３を有する。
【０２１９】
切替部３９２は、信号の送受信に応じて、アンテナ３８１Ａに接続する処理部を切り替える。例えば、無線信号を受信する場合、切替部３９２は、アンテナ３８１Ａに信号受信部３０１を接続する。これにより、信号受信部３０１が、アンテナ３８１Ａにより受信される無線信号に対する信号処理を実行することができる。また、例えば、無線信号を送信する場合、切替部３９２は、アンテナ３８１Ａに信号送信部３９３を接続する。信号送信部３９３は、無線信号の送信に関する処理を実行する。つまり、これにより、信号送信部３９３が、アンテナ３８１Ａから送信する信号に対する信号処理を実行することができる。
【０２２０】
信号送信部３９３は、PLL（Phase Locked Loop）３９４、発振部３９５、およびLNA３９６を有する。受信情報処理部３０２は、送信情報を示す信号をバス３０３を介して信号送信部３９３に供給する。PLL３９４は、その送信情報を示す信号の周波数に応じた周波数の信号を生成し、発振部３９５に供給する。つまり、PLL３９４は、送信情報により変調された信号を発振部３９５に供給する。発振部３９５は、その信号に応じて変調されたキャリア信号（例えば９２５MHz）を生成し、それを送信信号としてLNA３９６に供給する。LNA３９６は、その送信信号を増幅し、切替部３９２を介してアンテナ３８１Ａから無線信号として送信させる。
【０２２１】
受信情報処理部３０２は、基本的に図１２の場合と同様の構成を有するが、復調部３３３の代わりに変復調部３９７を有する。変復調部３９７は、受信信号の復調に関する処理だけでなく、送信信号の変調に関する処理も行う。変復調部３９７は、例えば、変調した送信情報を示す信号を、信号送信部３９３に供給する。
【０２２２】
このように、中継局１０２が高感度受信機１５２の代わりに高感度送受信機３８１を有する場合も、中継局１０２は、高感度送受信機３８１やLTEモデム１５４が駆動していない不要なタイミングにおける、それらへの電力の供給を抑制することにより、それらの消費電力の増大を抑制することができる。これにより、中継局１０２は、電力不足の発生を抑制し、より安定的な電力の供給を実現することができる。
【０２２３】
＜制御処理の流れ＞
この場合も、送信機１０１から送信される無線信号の受信に関する制御処理は、図１７や図１８のフローチャートを参照して説明した場合と同様に行われるのでその説明は省略する。図２７のフローチャートを参照して、高感度送受信機３８１による無線信号の送信に関する制御処理の流れの例を説明する。
【０２２４】
電源制御装置１５１の制御部２１１は、高感度送受信機３８１に無線信号を送信させる場合、図２７のステップＳ２６１において、接続部２１２を制御して高感度送受信機３８１への電力の供給を開始させ、高感度送受信機３８１の電源をオン（ON）にする。電力の供給が開始されると、高感度送受信機３８１の電源部３３７は、ステップＳ２７１において、その電力を駆動させる処理部に対して供給し、それらの駆動を開始させる。
【０２２５】
そして、ステップＳ２７２において、高感度送受信機３８１の受信情報処理部３０２は、信号送信部３９３から送信する送信情報を生成する。ステップＳ２７３において、変復調部３９７は、その送信情報を変調して送信信号を生成する。また、信号送信部３９３は、その送信信号を無線信号として送信する。無線信号を送信すると、高感度送受信機３８１の通信部３３６は、ステップＳ２７４において、送信情報を送信した旨を、電源制御装置１５１に通知する。
【０２２６】
ステップＳ２６２において、電源制御装置１５１の制御部２１１は、その通知を取得する。通知を取得すると、電源制御装置１５１の制御部２１１は、ステップＳ２６３において、接続部２１２を制御して高感度送受信機３８１への電力の供給を終了させ、高感度送受信機３８１の電源をオフ（OFF）にする。電力の供給が終了すると、高感度送受信機３８１の電源部３３７は、ステップＳ２７５において、各処理部への電力の供給も終了し、それらの駆動も終了させる。
【０２２７】
以上のように制御処理が行われることにより、中継局１０２は、高感度送受信機３８１やLTEモデム１５４に対する不要な電力の供給を抑制し、それらの消費電力の増大を抑制することができる。また、高感度送受信機３８１とLTEモデム１５４とを互いに異なるタイミングにおいて駆動させることができ、消費電力のピーク（最大値）の増大を抑制することができる。さらに、高感度送受信機３８１の送信処理と受信処理とを互いに異なるタイミングにおいて実行させることができ、消費電力のピーク（最大値）の増大を抑制することができる。
【０２２８】
＜電源供給制御処理の流れ＞
この場合の電源制御装置１５１が実行する電源供給制御処理の流れの例を、図２８のフローチャートを参照して説明する。なお、電源制御装置１５１は、第２の実施の形態（図２１）の場合と同様に、接続部３７１および蓄電部３７２を有するものとして説明する。
【０２２９】
電源供給制御処理が開始されると、制御部２１１は、ステップＳ２８１において、蓄電部３７２の出力電圧を確認する等して、蓄電部３７２の充電残量（蓄電量）が、高感度受信機１５２やLTEモデム１５４を駆動させるのに十分であるか否かを判定する。蓄電部３７２の充電残量が十分であると判定された場合、処理はステップＳ２８２に進む。ステップＳ２８２において、制御部２１１は、高感度送受信機３８１が受信を行うか否かを判定する。高感度送受信機３８１が受信を行うと判定された場合、処理はステップＳ２８３に進む。この場合、ステップＳ２８３乃至ステップＳ２８８の各処理が、図１９のステップＳ１８１乃至ステップＳ１８６の各処理と同様に実行される。ステップＳ２８８の処理が終了すると電源供給制御処理が終了する。
【０２３０】
また、ステップＳ２８２において、高感度送受信機３８１が送信を行うと判定された場合、処理はステップＳ２８９に進む。この場合、ステップＳ２８９において、制御部２１１は、接続部２１２を制御して高感度送受信機３８１への電力の供給を開始させることにより、高感度送受信機３８１の電源をオン（ON）にし、高感度送受信機３８１に送信情報を生成させる。この処理は、図２７のステップＳ２６１に対応する。
【０２３１】
ステップＳ２９０において、制御部２１１は、高感度送受信機３８１において送信情報が生成され、その送信情報が復調され、無線信号として送信機１０１に送信されたか否かを判定し、送信されたと判定するまで待機する。つまり、制御部２１１は、高感度送受信機３８１からその旨の通知を受けるまで待機する。高感度送受信機３８１からその旨の通知を受けたと判定すると（図２７のステップＳ２６２の処理が行われると）、制御部２１１は、処理をステップＳ２９１に進める。
【０２３２】
ステップＳ２９１において、制御部２１１は、接続部２１２を制御して高感度送受信機３８１への電力の供給を終了させることにより、高感度送受信機３８１の電源をオフ（OFF）にし、高感度送受信機３８１の駆動を終了させる。この処理は、図２７のステップＳ２６３に対応する。ステップＳ２９１の処理が終了すると、電源供給制御処理が終了する。
【０２３３】
また、ステップＳ２８１において、蓄電部３７２の充電残量が十分でないと判定された場合、電源供給制御処理が終了する。
【０２３４】
つまり、充電残量が十分である場合のみ、その蓄電部３７２の電力を用いて、高感度送受信機３８１やLTEモデム１５４が駆動される。このようにすることにより、既存の設備の電力を使用せずに（例えば衛星アンテナ１４２への電力供給等に対して大きな影響を与えることなく）、高感度送受信機３８１やLTEモデム１５４を駆動させることができる。つまり、既存の設備に対する負荷の増大を抑制することができる。
【０２３５】
また、無線信号を送信する場合と、受信する場合とで処理を分けることにより、高感度送受信機３８１が送信と受信とを互いに異なるタイミングにおいて行うようにすることができる。したがって、高感度送受信機３８１の消費電力のピーク（最大値）の増大を抑制することができる。
【０２３６】
以上においては、電源制御装置１５１が、接続部３７１および蓄電部３７２を有するものとして説明したが、図７の例のように、接続部３７１および蓄電部３７２を有していなくてもよい。その場合、図２８の電源供給制御処理において、ステップＳ２８１の処理が省略されるようにすればよい。
【０２３７】
＜その他＞
なお、中継局１０２が、以上において説明した高感度送受信機３８１の代わりに送信機１０１と同様の送信機を有するようにしてもよい。その場合の送信機は、例えば、図２６に示される高感度送受信機３８１の構成の内、信号受信部３０１と切替部３９２を省略するようにすればよい。つまり、本実施の形態において説明したように、中継局１０２は、信号を送信する場合も、信号を受信する場合と基本的に同様に、電力の供給を制御することができる。したがって、消費電力の増大を抑制することができる。
【０２３８】
＜４．第４の実施の形態＞
＜他の構成＞
なお、中継局１０２の構成は、各実施の形態において上述した例に限定されない。例えば、中継局１０２が１つの装置として構成されるようにしてもよい。また、例えば、図３の例において、電源制御装置１５１、高感度受信機１５２、メモリ１５３、およびLTEモデム１５４の内の少なくともいずれか２つ以上が１つの装置として構成されるようにしてもよい。さらに、混合器１４３も電源制御装置１５１等とともに１つの装置として構成されるようにしてもよい。
【０２３９】
さらに、上述した複数の構成例を適宜組み合わせるようにしてもよい。例えば、図２０の構成例の高感度受信機１５２の代わりに、第３の実施の形態において説明した高感度送受信機３８１を適用するようにしてもよい。また、図２０の構成例の電源制御装置１５１が、第２の実施の形態において説明したように、接続部３７１や蓄電部３７２を有するようにしてもよい。また、例えば、中継局１０２が、上述していない他の処理部を有するようにしてもよい。そして、電源制御装置１５１がその装置への電力の供給も制御するようにしてもよい。電源制御装置１５１が電力供給を制御する装置の数は任意である。
【０２４０】
また、電源制御装置１５１の機能が、複数の装置に内蔵されるようにしてもよい。例えば、図２９に示されるように、高感度受信機１５２が電源制御部４０１を有し、LTEモデム１５４が電源制御部４０２を有するようにしてもよい。
【０２４１】
その場合、電源制御部４０１は、高感度受信機１５２に対する電力の供給を制御する。電源制御部４０２は、LTEモデム１５４に対する電力の供給を制御する。それぞれの制御方法は、電源制御装置１５１の場合と同様である。
【０２４２】
なお、その際に、電源制御部４０１と電源制御部４０２とが互いに情報を授受する等して、協働して電力供給制御を行うようにしてもよい。
【０２４３】
＜その他＞
なお、地上波アンテナ１４１乃至電源ケーブル１４８のそれぞれの数は任意であり、複数であってもよい。例えば、混合器１４３や電源ケーブル１４８が複数設けられるようにしてもよい。すなわち、電源供給経路が複数存在するようにしてもよい。その場合、それぞれの経路からの電源供給を、互いに独立に制御するようにしてもよいし、総合的に制御するようにしてもよい。
【０２４４】
なお、位置通知システム１００において、駆動する中継局１０２を、サーバ１０４が例えばID等を用いて指定することができるようにしてもよい。このように駆動する中継局１０２を一部に限定することにより、システム全体の消費電力の増大を抑制することができる。
【０２４５】
＜５．第５の実施の形態＞
＜他の信号送受信システム＞
以上においては、位置通知システム１００を例に説明したが、本技術は、上述した位置通知システム１００以外のシステムにも適用することができる。例えば、送信機１０１は、人物だけでなく、移動体等に設置するようにしてもよい。
【０２４６】
例えば、本技術は、図３０に示されるような自動車やバイク等の盗難を防ぐための盗難防止システム４１０に適用することもできる。この盗難防止システム４１０の場合、送信機１０１は、ユーザが位置を監視する対象物、例えばユーザが所有する自動車４１１やバイク４１２に設置される。送信機１０１は、位置通知システム１００の場合と同様に、自身の位置情報（すなわち、自動車４１１やバイク４１２の位置情報）を、適宜、中継局１０２に通知する。つまり、ユーザは、位置通知システム１００の場合と同様に、端末装置１０５からサーバ１０４にアクセスして、自動車４１１やバイク４１２の位置を把握することができる。したがって、ユーザは、盗難に合った場合であっても、自動車４１１やバイク４１２の位置を把握することができるので、その自動車４１１やバイク４１２を容易に取り戻すことができる。
【０２４７】
このような盗難防止システム４１０の場合も、位置通知システム１００の場合と同様に、中継局１０２に対して本技術を適用することができる。そして、本技術を適用することにより、中継局１０２を構成する装置（例えば高感度受信機１５２等）の消費電力の増大を抑制することができる。
【０２４８】
また、送受信される情報も任意であり、上述した位置情報に限定されない。送信機１０１の送信情報生成部２６１は、任意の情報を含む送信情報を生成することができる。例えば、送信情報生成部２６１が、画像や音声の情報を含む送信情報を生成するようにしてもよい。また、例えば、送信情報生成部２６１が、温度、距離、明度、角度、速度、加速度等の計測結果を示す情報を含む送信情報を生成するようにしてもよい。さらに、例えば、送信情報生成部２６１が、機器を制御する制御情報を含む送信情報を生成するようにしてもよい。また、例えば、送信情報生成部２６１が、それら以外の情報を含む送信情報を生成するようにしてもよい。さらに、例えば、送信情報生成部２６１が、複数の情報を含む送信情報を生成するようにしてもよい。
【０２４９】
また、例えば、送信情報生成部２６１が、他の装置から供給される情報を含む送信情報を生成するようにしてもよい。例えば、送信情報生成部２６１が、画像、光、明度、彩度、電気、音、振動、加速度、速度、角速度、力、温度（温度分布ではない）、湿度、距離、面積、体積、形状、流量、時刻、時間、磁気、化学物質、または匂い等、任意の変数について、またはその変化量について、検出若しくは計測等を行う各種センサから出力される情報（センサ出力）を含む送信情報を生成するようにしてもよい。
【０２５０】
つまり、本技術は、上述したような位置情報の通知を行うシステムに限らず、例えば、立体形状計測、空間計測、物体観測、移動変形観測、生体観測、認証処理、監視、オートフォーカス、撮像制御、照明制御、追尾処理、入出力制御、電子機器制御、アクチュエータ制御等、任意の用途に用いられるシステムに適用することができる。
【０２５１】
また、本技術は、例えば、交通、医療、防犯、農業、畜産業、鉱業、美容、工場、家電、気象、自然監視等、任意の分野のシステムに適用することができる。例えば、本技術は、ディジタルカメラや、カメラ機能付きの携帯機器等を用いる、鑑賞の用に供される画像を撮影するシステムにも適用することができる。また、例えば、本技術は、自動停止等の安全運転や、運転者の状態の認識等のために、自動車の前方や後方、周囲、車内等を撮影する車載用システム、走行車両や道路を監視する監視カメラシステム、車両間等の測距を行う測距システム等の、交通の用に供されるシステムにも適用することができる。さらに、例えば、本技術は、防犯用途の監視カメラや、人物認証用途のカメラ等を用いる、セキュリティの用に供されるシステムにも適用することができる。また、例えば、本技術は、ウェアラブルカメラ等のようなスポーツ用途等向けに利用可能な各種センサ等を用いる、スポーツの用に供されるシステムにも適用することができる。さらに、例えば、本技術は、畑や作物の状態を監視するためのカメラ等の各種センサを用いる、農業の用に供されるシステムにも適用することができる。また、例えば、本技術は、豚や牛等の家畜の状態を監視するための各種センサを用いる、畜産業の用に供されるシステムにも適用することができる。さらに、本技術は、例えば火山、森林、海洋等の自然の状態を監視するシステムや、例えば天気、気温、湿度、風速、日照時間等を観測する気象観測システムや、例えば鳥類、魚類、ハ虫類、両生類、哺乳類、昆虫、植物等の野生生物の生態を観測するシステム等にも適用することができる。
【０２５２】
さらに、送受信される無線信号や情報の仕様は任意である。つまり、本技術は、各実施の形態において上述したような構成を有する任意の信号送受信システム（の中継局の装置）に適用することができる。
【０２５３】
＜コンピュータ＞
上述した一連の処理は、ハードウエアにより実行させることもできるし、ソフトウエアにより実行させることもできる。一連の処理をソフトウエアにより実行する場合、例えば電源制御装置１５１の制御部２１１、送信機１０１の送信情報生成部２６１、高感度受信機１５２の制御部３３１、LTEモデム１５４の制御部３５１、高感度送受信機３８１の制御部３３１、並びに、電源制御部４０１および電源制御部４０２の制御部２１１等が、そのソフトウエアを実行することができるコンピュータとしての構成を有するようにすればよい。このコンピュータには、例えば、専用のハードウエアに組み込まれているコンピュータや、各種のプログラムをインストールすることで、任意の機能を実行することが可能な汎用のコンピュータ等が含まれる。
【０２５４】
図３１は、上述した一連の処理をプログラムにより実行するコンピュータのハードウエアの構成例を示すブロック図である。
【０２５５】
図３１に示されるコンピュータ６００において、CPU（Central Processing Unit）６１１、ROM（Read Only Memory）６１２、RAM（Random Access Memory）６１３は、バス６１４を介して相互に接続されている。
【０２５６】
バス６１４にはまた、入出力インタフェース６２０も接続されている。入出力インタフェース６２０には、入力部６２１、出力部６２２、記憶部６２３、通信部６２４、およびドライブ６２５が接続されている。
【０２５７】
入力部６２１は、例えば、キーボード、マウス、タッチパネル、イメージセンサ、マイクロホン、スイッチ、入力端子等の任意の入力デバイスを有する。出力部６２２は、例えば、ディスプレイ、スピーカ、出力端子等の任意の出力デバイスを有する。記憶部６２３は、例えば、ハードディスク、RAMディスク、SSD（Solid State Drive）やUSB（Universal Serial Bus）メモリ等のような不揮発性のメモリ等、任意の記憶媒体を有する。通信部６２４は、例えば、イーサネット（登録商標）、Bluetooth（登録商標）、USB、HDMI（登録商標）（High-Definition Multimedia Interface）、IrDA等の、有線若しくは無線、または両方の、任意の通信規格の通信インタフェースを有する。ドライブ６２５は、磁気ディスク、光ディスク、光磁気ディスク、または半導体メモリ等の任意の記憶媒体を有するリムーバブルメディア６３１を駆動する。
【０２５８】
以上のように構成されるコンピュータでは、CPU６１１が、例えば、記憶部６２３に記憶されているプログラムを、入出力インタフェース６２０およびバス６１４を介して、RAM６１３にロードして実行することにより、上述した一連の処理が行われる。RAM６１３にはまた、CPU６１１が各種の処理を実行する上において必要なデータなども適宜記憶される。
【０２５９】
コンピュータ（CPU６１１）が実行するプログラムは、例えば、パッケージメディア等としてのリムーバブルメディア６３１に記録して適用することができる。その場合、プログラムは、リムーバブルメディア６３１をドライブ６２５に装着することにより、入出力インタフェース６２０を介して、記憶部６２３にインストールすることができる。
【０２６０】
また、このプログラムは、ローカルエリアネットワーク、インターネット、デジタル衛星放送といった、有線または無線の伝送媒体を介して提供することもできる。その場合、プログラムは、通信部６２４で受信し、記憶部６２３にインストールすることができる。
【０２６１】
その他、このプログラムは、ROM６１２や記憶部６２３に、あらかじめインストールしておくこともできる。
【０２６２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２６３】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２６４】
また、上述した各ステップの処理は、上述した各装置、若しくは、上述した各装置以外の任意の装置において、実行することができる。その場合、その処理を実行する装置が、上述した、その処理を実行するのに必要な機能（機能ブロック等）を有するようにすればよい。また、処理に必要な情報を、適宜、その装置に伝送するようにすればよい。
【０２６５】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２６６】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０２６７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０２６８】
例えば、本技術は、１つの機能を、ネットワークを介して複数の装置で分担、共同して処理するクラウドコンピューティングの構成をとることができる。
【０２６９】
また、上述のフローチャートで説明した各ステップは、１つの装置で実行する他、複数の装置で分担して実行することができる。
【０２７０】
さらに、１つのステップに複数の処理が含まれる場合には、その１つのステップに含まれる複数の処理は、１つの装置で実行する他、複数の装置で分担して実行することができる。
【０２７１】
また、本技術は、これに限らず、このような装置またはシステムを構成する装置に搭載するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０２７２】
なお、本技術は以下のような構成も取ることができる。
（１）  無線信号を受信する受信部が駆動する際に電力を供給するように、前記受信部への前記電力の供給を制御する制御部
を備える情報処理装置。
（２）  前記制御部は、アンテナにおいて受信された放送波信号を伝送する同軸ケーブルを介して前記放送波信号と重畳して供給され、抽出された電力の、前記受信部への供給を制御する
（１）に記載の情報処理装置。
（３）  前記制御部は、
前記受信部への前記電力の供給を開始して、前記受信部に前記無線信号を受信させ、受信した前記無線信号より得られた情報を記憶部に記憶させ、
前記情報が前記記憶部に記憶されたとの通知を取得した場合、前記受信部への前記電力の供給を終了する
（１）または（２）に記載の情報処理装置。
（４）  前記受信部をさらに備える
（１）乃至（３）のいずれかに記載の情報処理装置。
（５）  前記制御部は、前記同軸ケーブルを介して前記信号と重畳して供給され、抽出され、蓄電部に蓄電された前記電力の、前記受信部への供給を制御する
（１）乃至（４）のいずれかに記載の情報処理装置。
（６）  前記制御部は、前記蓄電部の蓄電量が所定の閾値より少ない場合、前記受信部への前記電力の供給を禁止する
（５）に記載の情報処理装置。
（７）  前記制御部は、さらに、前記同軸ケーブルを介して前記信号と重畳して供給され、抽出された前記電力の、前記蓄電部への蓄電を制御する
（５）または（６）に記載の情報処理装置。
（８）  前記制御部は、前記蓄電部の蓄電量が所定の閾値より多い場合、前記蓄電部への前記電力の蓄電を禁止する
（７）に記載の情報処理装置。
（９）  前記制御部は、所定の時間帯において前記蓄電部に前記電力を蓄電させる
（７）または（８）に記載の情報処理装置。
（１０）  前記蓄電部をさらに備える
（５）乃至（９）のいずれかに記載の情報処理装置。
（１１）  前記制御部は、さらに、無線信号を送信する送信部が駆動する際に電力を供給するように、前記送信部への前記電力の供給を制御する
（１）乃至（１０）のいずれかに記載の情報処理装置。
（１２）  前記制御部は、
前記送信部への前記電力の供給を開始して、前記送信部に送信情報を生成させ、生成した前記送信情報を前記無線信号として送信させ、
前記無線信号が送信されたとの通知を取得した場合、前記送信部への前記電力の供給を終了する
（１１）に記載の情報処理装置。
（１３）  前記送信部をさらに備える
（１１）または（１２）に記載の情報処理装置。
（１４）  前記制御部は、さらに、他の通信装置と通信を行う通信部が駆動する際に電力を供給するように、前記通信部への前記電力の供給を制御する
（１）乃至（１３）のいずれかに記載の情報処理装置。
（１５）  前記制御部は、
前記通信部への前記電力の供給を開始して、前記通信部に、前記受信部が受信した前記無線信号より得られた情報を記憶する記憶部から前記情報を読み出させ、読み出した前記情報を前記通信により前記他の通信装置に供給させ、
前記情報が前記他の通信装置に供給されたとの通知を取得した場合、前記通信部への前記電力の供給を終了する
（１４）に記載の情報処理装置。
（１６）  前記通信部をさらに備える
（１４）または（１５）に記載の情報処理装置。
（１７）  前記記憶部をさらに備える
（１５）または（１６）に記載の情報処理装置。
（１８）  前記受信部は、９２５MHzを含む周波数帯域の前記無線信号を受信する
（１）乃至（１７）のいずれかに記載の情報処理装置。
（１９）  情報処理装置が、無線信号を受信する受信部が駆動する際に電力を供給するように、前記受信部への前記電力の供給を制御する
情報処理方法。
（２０）  コンピュータを、
無線信号を受信する受信部が駆動する際に電力を供給するように、前記受信部への前記電力の供給を制御する制御部
として機能させるためのプログラム。
【符号の説明】
【０２７３】
１００  位置通知システム，  １０１  送信機，  １０２  中継局，  １０３  ネットワーク，  １０４  サーバ，  １３０  建物，  １３１  屋根上設備，  １４３  混合器，  １４４乃至１４６  アンテナケーブル，  １４８  電源ケーブル，  １５１  電源制御装置，  １５２  高感度受信機，  １５３  メモリ，  １５４  LTEモデム，  １６１  GNSS衛星，  １８５  PF，  １８６  混合部，  １９１乃至１９３  インダクタ，  １９４乃至１９６  キャパシタ，  ２０１乃至２０４  電源端子，  ２１１  制御部，  ２１２  接続部，  ３０１  信号受信部，  ３０２  受信情報処理部，  ３０３  バス，  ３３０  バス，  ３３１  制御部，  ３３２  メモリ，  ３３３  復調部，  ３３４  GNSS信号受信部，  ３３５  情報処理部，  ３３６  通信部，  ３３７  電源部，  ３５０  バス，  ３５１  制御部，  ３５２  メモリ，  ３５３  通信部，  ３５４  電源部，  ３５５  LTE通信部，  ３６１  ルータ，  ３６２  信号ケーブル，  ３６３  混合器，  ３７１  接続部，  ３７２  蓄電部，  ３８１  高感度送受信機，  ３９１  信号送受信部，  ３９２  切替部，  ３９３  信号送信部，  ３９４  PLL，  ３９５  発振部，  ３９６  LNA，  ３９７  変復調部，  ４０１  電源制御部，  ４０２  電源制御部，  ４１０  盗難防止システム，  ６００  コンピュータ
【図１】
2017018185.tif 000003
【図２】
2017018185.tif 000004
【図３】
2017018185.tif 000005
【図４】
2017018185.tif 000006
【図５】
2017018185.tif 000007
【図６】
2017018185.tif 000008
【図７】
2017018185.tif 000009
【図８】
2017018185.tif 000010
【図９】
2017018185.tif 000011
【図１０】
2017018185.tif 000012
【図１１】
2017018185.tif 000013
【図１２】
2017018185.tif 000014
【図１３】
2017018185.tif 000015
【図１４】
2017018185.tif 000016
【図１５】
2017018185.tif 000017
【図１６】
2017018185.tif 000018
【図１７】
2017018185.tif 000019
【図１８】
2017018185.tif 000020
【図１９】
2017018185.tif 000021
【図２０】
2017018185.tif 000022
【図２１】
2017018185.tif 000023
【図２２】
2017018185.tif 000024
【図２３】
2017018185.tif 000025
【図２４】
2017018185.tif 000026
【図２５】
2017018185.tif 000027
【図２６】
2017018185.tif 000028
【図２７】
2017018185.tif 000029
【図２８】
2017018185.tif 000030
【図２９】
2017018185.tif 000031
【図３０】
2017018185.tif 000032
【図３１】
2017018185.tif 000033
【国際調査報告】
2017018185.tif 000034
2017018185.tif 000035
2017018185.tif 000036
2017018185.tif 000037